(57)【要約】【課題】  構造の簡素化及び薄型化を図った上で使い勝手の向上を図る。【解決手段】  電子機器に対する入力操作が行われる入力操作部と、入力操作部を内部に配置したカバー部とを備え、カバー部は、少なくとも一つの折曲部と、折曲部に接続される少なくとも二つ以上の板部とを有し、電子機器が接続される接続端子部が設けられ、カバー部の内部に入力操作部と接続端子部を接続し折曲部における折曲に伴って屈曲される配線部が配置され、折曲部において所定の形状に折り曲げられて電子機器を覆うカバー形態の設定が可能とされた。【選択図】        図５
2013084246.tif 000002
【特許請求の範囲】
【請求項１】
電子機器に対する入力操作が行われる入力操作部と、
前記入力操作部を内部に配置したカバー部とを備え、
前記カバー部は、少なくとも一つの折曲部と、前記折曲部に接続される少なくとも二つ以上の板部とを有し、
前記電子機器が接続される接続端子部が設けられ、
前記カバー部の内部に前記入力操作部と前記接続端子部を接続し前記折曲部における折曲に伴って屈曲される配線部が配置され、
前記折曲部において所定の形状に折り曲げられて前記電子機器を覆うカバー形態の設定が可能とされる
保護カバー。
【請求項２】
前記折曲部において前記所定の形状と異なる形状に折り曲げられることにより、前記板部の一部が前記電子機器を立て掛け可能な立掛部として機能し、
前記電子機器の前記立掛部への立て掛けが可能なスタンド形態の設定が行われるようにした
請求項１に記載の保護カバー。
【請求項３】
前記立掛部に、前記電子機器が立て掛けられたときに前記電子機器を受ける背面板が取り付けられた
請求項２に記載の保護カバー。
【請求項４】
前記接続端子部が前記背面板の表面に設けられ、
前記配線部の一部が前記背面板の内部に配置された
請求項３に記載の保護カバー。
【請求項５】
前記入力操作部として第１の入力操作部と第２の入力操作部が設けられ、
前記第１の入力操作部と前記第２の入力操作部の間に前記折曲部が設けられた
請求項１に記載の保護カバー。
【請求項６】
前記カバー部の一端部と他端部にそれぞれ結合部が設けられ、
前記カバー形態が設定されたときに前記結合部同士が結合されて前記電子機器の全体が覆われるようにした
請求項１に記載の保護カバー。
【請求項７】
少なくとも一つの前記板部は、前記電子機器が前記立掛部に立て掛けられたときに前記電子機器の側部が接触又は近接される載置面と、前記電子機器の位置を規制する位置規制部とを有する載置部として機能する
請求項２に記載の保護カバー。
【請求項８】
少なくとも一つの前記板部は、前記入力操作部を有する操作領域部として機能し、
前記位置規制部を前記載置部と前記操作領域部が並ぶ方向において複数離隔して設けた
請求項７に記載の保護カバー。
【請求項９】
前記位置規制部として前記載置面から突出された位置規制突部を設けた
請求項７に記載の保護カバー。
【請求項１０】
前記位置規制部として前記載置面に開口する位置規制凹部を形成した
請求項７に記載の保護カバー。
【請求項１１】
前記位置規制凹部を前記配線部が配置された部分以外の部分に形成した
請求項１０に記載の保護カバー。
【請求項１２】
前記カバー部がエラストマーによって形成された
請求項１に記載の保護カバー。
【請求項１３】
前記位置規制部として位置規制用マグネットを設けた
請求項７に記載の保護カバー。
【請求項１４】
前記カバー部に、前記カバー形態が設定されるときに前記板部と前記電子機器の間に位置される接触防止部とが設けられた
請求項１に記載の保護カバー。
【請求項１５】
前記カバー部に前記電子機器が立て掛けられる立掛部が設けられ、
前記入力操作部に操作キーが設けられ、
前記板部における前記操作キーに対向する部分に前記操作キー側と反対側に開口された操作用凹部が形成された
請求項１に記載の保護カバー。
【請求項１６】
前記カバー部に前記電子機器が立て掛けられる立掛部が設けられ、
前記立掛部に、前記電子機器が立て掛けられたときに前記電子機器を受ける背面板が取り付けられ、
前記電子機器が前記背面板に、前記背面板に沿って回動自在かつ移動自在に支持された
請求項１に記載の保護カバー。
【請求項１７】
表示面を有する電子機器と、
前記電子機器に対する入力操作が行われる入力操作部と前記入力操作部を内部に配置したカバー部とを有する保護カバーとを備え、
前記カバー部は、少なくとも一つの折曲部と、前記折曲部に接続される少なくとも二つ以上の板部とを有し、
前記電子機器が接続される接続端子部が設けられ、
前記カバー部の内部に前記入力操作部と前記接続端子部を接続し前記折曲部における折曲に伴って屈曲される配線部が配置され、
前記折曲部において所定の形状に折り曲げられて前記電子機器を覆うカバー形態の設定が可能とされる
情報処理装置。
【発明の詳細な説明】
【技術分野】
【０００１】
本技術は保護カバー及び情報処理装置についての技術分野に関する。詳しくは、保護カバーの内部に電子機器に対する入力を行う入力操作部と屈曲可能な配線部とを配置して構造の簡素化及び薄型化を図った上で使い勝手の向上を図る技術分野に関する。
【背景技術】
【０００２】
表示面を有する電子機器に対してキーボード等の入力操作部によって所定の情報を入力し、入力された情報の処理を行うことが可能なパーソナルコンピューター等の情報処理装置がある。
【０００３】
このような情報処理装置には、複数の折曲部が設けられ所定の形状に折り曲げられて電子機器を覆うことにより電子機器を保護する保護カバーを備えたものがある（例えば、特許文献１参照）。
【０００４】
特許文献１に記載された情報処理装置にあっては、保護カバーが所定の形状に折り曲げられることにより内部に電子機器を収納し、電子機器を収納した状態で携帯することにより、携帯時における電子機器の保護が図られる。
【０００５】
また、特許文献１に記載された情報処理装置にあっては、保護カバーが別の形状に折り曲げられることにより電子機器を立て掛けるスタンドとして機能する。スタンドとして機能する保護カバーに電子機器を立て掛けた状態で入力操作部による情報の入力等を行うことにより、電子機器の使用時における操作性の向上等が図られる。
【０００６】
このように保護カバーは電子機器を収納して保護すると共にスタンドとして機能することにより良好な操作性を確保するものであり、保護カバーを備えることにより情報処理装置の使い勝手の向上が図られる。
【０００７】
また、上記のような保護カバーには、内部にキーボード等の入力操作部が配置され、外部から入力操作部に対する操作が可能とされ、外部から入力操作部を操作することにより無線通信によって電子機器に対する情報の入力が行われるようにされたものがある。このような保護カバーにあっては、内部に入力操作部が配置されているため、別体の入力操作部を用意する必要がなく、使い勝手の向上が図られている。
【０００８】
【特許文献１】特開２００６−１５５０５０号公報
【発明の開示】
【発明が解決しようとする課題】
【０００９】
ところが、上記した保護カバーにあっては、無線通信により電子機器に対する情報の入力が行われるように構成されているため、内部に入力操作部の他に無線通信用の回路基板や電源（バッテリー）を配置する必要があり、その分、構造が複雑になると共に薄型化を阻害すると言う問題がある。
【００１０】
そこで、本技術保護カバー及び情報処理装置は、上記した問題点を克服し、構造の簡素化及び薄型化を図った上で使い勝手の向上を図ることを課題とする。
【課題を解決するための手段】
【００１１】
第１に、保護カバーは、上記した課題を解決するために、電子機器に対する入力操作が行われる入力操作部と、前記入力操作部を内部に配置したカバー部とを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされたものである。
【００１２】
従って、保護カバーにあっては、入力操作部に対する操作により配線部を介して電子機器に情報が入力される。
【００１３】
第２に、上記した保護カバーにおいては、前記折曲部において前記所定の形状と異なる形状に折り曲げられることにより、前記板部の一部が前記電子機器を立て掛け可能な立掛部として機能し、前記電子機器の前記立掛部への立て掛けが可能なスタンド形態の設定が行われるようにすることが望ましい。
【００１４】
折曲部において所定の形状と異なる形状に折り曲げられることにより、板部の一部が電子機器を立て掛け可能な立掛部として機能し、電子機器の立掛部への立て掛けが可能なスタンド形態の設定が行われるようにすることにより、保護カバーの用途が増加する。
【００１５】
第３に、上記した保護カバーにおいては、前記立掛部に、前記電子機器が立て掛けられたときに前記電子機器を受ける背面板が取り付けられることが望ましい。
【００１６】
立掛部に、電子機器が立て掛けられたときに電子機器を受ける背面板が取り付けられることにより、電子機器が背面板を介して立掛部に立て掛けられる。
【００１７】
第４に、上記した保護カバーにおいては、前記接続端子部が前記背面板の表面に設けられ、前記配線部の一部が前記背面板の内部に配置されることが望ましい。
【００１８】
接続端子部が背面板の表面に設けられ、配線部の一部が背面板の内部に配置されることにより、背面板に設けられた接続端子部に配線部が接続される。
【００１９】
第５に、上記した保護カバーにおいては、前記入力操作部として第１の入力操作部と第２の入力操作部が設けられ、前記第１の入力操作部と前記第２の入力操作部の間に前記折曲部が設けられることが望ましい。
【００２０】
異なる種類の前記入力操作部として第１の入力操作部と第２の入力操作部が設けられ、前記第１の入力操作部と前記第２の入力操作部の間に前記折曲部が設けられることにより、保護カバーがカバー形態に設定されたときに折曲部が折曲可能とされる。
【００２１】
第６に、上記した保護カバーにおいては、前記カバー部の一端部と他端部にそれぞれ結合部が設けられ、前記カバー形態が設定されたときに前記結合部同士が結合されて前記電子機器の全体が覆われるようにすることが望ましい。
【００２２】
カバー部の一端部と他端部にそれぞれ結合部が設けられ、カバー形態が設定されたときに結合部同士が結合されて電子機器の全体が覆われるようにすることにより、電子機器がカバー部の内側に収納される。
【００２３】
第７に、上記した保護カバーにおいては、少なくとも一つの前記板部は、前記電子機器が前記立掛部に立て掛けられたときに前記電子機器の側部が接触又は近接される載置面と、前記電子機器の位置を規制する位置規制部とを有する載置部として機能することが望ましい。
【００２４】
少なくとも一つの板部は、電子機器が立掛部に立て掛けられたときに電子機器の側部が接触又は近接される載置面と、電子機器の位置を規制する位置規制部とを有する載置部として機能することにより、位置規制部によって電子機器のカバー部に対する位置規制が行われる。
【００２５】
第８に、上記した保護カバーにおいては、少なくとも一つの前記板部は、前記入力操作部を有する操作領域部として機能し、前記位置規制部を前記載置部と前記操作領域部が並ぶ方向において複数離隔して設けることが望ましい。
【００２６】
少なくとも一つの板部は、入力操作部を有する操作領域部として機能し、位置規制部を載置部と操作領域部が並ぶ方向において複数離隔して設けることにより、位置規制部の選択により電子機器の傾斜状態が変更される。
【００２７】
第９に、上記した保護カバーにおいては、前記位置規制部として前記載置面から突出された位置規制突部を設けることが望ましい。
【００２８】
位置規制部として載置面から突出された位置規制突部を設けることにより、位置規制部が簡素化される。
【００２９】
第１０に、上記した保護カバーにおいては、前記位置規制部として前記載置面に開口する位置規制凹部を形成することが望ましい。
【００３０】
位置規制部として載置面に開口する位置規制凹部を形成することにより、位置規制部が簡素化される。
【００３１】
第１１に、上記した保護カバーにおいては、前記位置規制凹部を前記配線部が配置された部分以外の部分に形成することが望ましい。
【００３２】
位置規制凹部を配線部が配置された部分以外の部分に形成することにより、載置部に対する配線部の配置に支障を来たさない。
【００３３】
第１２に、上記した保護カバーにおいては、前記カバー部がエラストマーによって形成されることが望ましい。
【００３４】
カバー部がエラストマーによって形成されることにより、電子機器のカバー部に対する位置ずれが生じ難い。
【００３５】
第１３に、上記した保護カバーにおいては、前記位置規制部として位置規制用マグネットを設けることが望ましい。
【００３６】
位置規制部として位置規制用マグネットを設けることにより、カバー部の表面に加工を施すことなく位置規制部が形成される。
【００３７】
第１４に、上記した保護カバーにおいては、前記カバー部に、前記カバー形態が設定されるときに前記板部と前記電子機器の間に位置される接触防止部とが設けられることが望ましい。
【００３８】
カバー部に、カバー形態が設定されるときに板部と電子機器の間に位置される接触防止部とが設けられることにより、カバー形態が設定されたときに電子機器が操作領域部に接触されない。
【００３９】
第１５に、上記した保護カバーにおいては、前記カバー部に前記電子機器が立て掛けられる立掛部が設けられ、前記入力操作部に操作キーが設けられ、前記板部における前記操作キーに対向する部分に前記操作キー側と反対側に開口された操作用凹部が形成されることが望ましい。
【００４０】
カバー部に電子機器が立て掛けられる立掛部が設けられ、入力操作部に操作キーが設けられ、板部における操作キーに対向する部分に操作キー側と反対側に開口された操作用凹部が形成されることにより、操作領域部と電子機器の接触面積が小さくなる。
【００４１】
第１６に、上記した保護カバーにおいては、前記カバー部に前記電子機器が立て掛けられる立掛部が設けられ、前記立掛部に、前記電子機器が立て掛けられたときに前記電子機器を受ける背面板が取り付けられ、前記電子機器が前記背面板に、前記背面板に沿って回動自在かつ移動自在に支持されることが望ましい。
【００４２】
カバー部に電子機器が立て掛けられる立掛部が設けられ、立掛部に、電子機器が立て掛けられたときに電子機器を受ける背面板が取り付けられ、電子機器が背面板に、背面板に沿って回動自在かつ移動自在に支持されることにより、電子機器の向きが変更可能とされる。
【００４３】
情報処理装置は、表示面を有する電子機器と、前記電子機器に対する入力操作が行われる入力操作部と前記入力操作部を内部に配置したカバー部とを有する保護カバーとを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされるものである。
【００４４】
従って、情報処理装置にあっては、入力操作部に対する操作により配線部を介して電子機器に情報が入力される。
【発明の効果】
【００４５】
本技術保護カバーは、電子機器に対する入力操作が行われる入力操作部と、前記入力操作部を内部に配置したカバー部とを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされている。
【００４６】
従って、内部に入力操作部の他に無線通信用の回路基板やバッテリーを配置する必要がなく、構造の簡素化及び薄型化を図った上で使い勝手の向上を図ることができる。
【００４７】
請求項２に記載した技術にあっては、前記折曲部において前記所定の形状と異なる形状に折り曲げられることにより、前記板部の一部が前記電子機器を立て掛け可能な立掛部として機能し、前記電子機器の前記立掛部への立て掛けが可能なスタンド形態の設定が行われるようにしている。
【００４８】
従って、保護カバーの用途が多く、保護カバーの利便性の向上を図ることができる。
【００４９】
請求項３に記載した技術にあっては、前記立掛部に、前記電子機器が立て掛けられたときに前記電子機器を受ける背面板が取り付けられている。
【００５０】
従って、電子機器の立て掛け状態の安定化を図ることができる。
【００５１】
請求項４に記載した技術にあっては、前記接続端子部が前記背面板の表面に設けられ、前記配線部の一部が前記背面板の内部に配置されている。
【００５２】
従って、背面板に設けられた接続端子部に配線部が接続されるため、電子機器の安定した立て掛け状態が確保されており配線部の電子機器との安定した接続状態を確保することができる。
【００５３】
請求項５に記載した技術にあっては、前記入力操作部として第１の入力操作部と第２の入力操作部が設けられ、前記第１の入力操作部と前記第２の入力操作部の間に前記折曲部が設けられている。
【００５４】
従って、保護カバーがカバー形態に設定されたときに折曲部が折曲可能であるため、操作性の向上を確保した上でカバー形態における小型化を図ることができる。
【００５５】
請求項６に記載した技術にあっては、前記カバー部の一端部と他端部にそれぞれ結合部が設けられ、前記カバー形態が設定されたときに前記結合部同士が結合されて前記電子機器の全体が覆われるようにしている。
【００５６】
従って、携帯性の向上を図ることができると共に保護カバーからの電子機器の脱落を防止することができる。
【００５７】
請求項７に記載した技術にあっては、少なくとも一つの前記板部は、前記電子機器が前記立掛部に立て掛けられたときに前記電子機器の側部が接触又は近接される載置面と、前記電子機器の位置を規制する位置規制部とを有する載置部として機能するようにしている。
【００５８】
従って、位置規制部によって電子機器のカバー部に対する位置ずれが防止され、電子機器が安定した状態で立掛部に立て掛けられて良好な使用状態を確保することができる。
【００５９】
請求項８に記載した技術にあっては、少なくとも一つの前記板部は、前記入力操作部を有する操作領域部として機能し、前記位置規制部を前記載置部と前記操作領域部が並ぶ方向において複数離隔して設けている。
【００６０】
従って、電子機器の傾斜状態を変更して電子機器を保持することが可能であり使い勝手の向上を図ることができる。
【００６１】
請求項９に記載した技術にあっては、前記位置規制部として前記載置面から突出された位置規制突部を設けている。
【００６２】
従って、簡素な構成によって電子機器を安定した状態で保持することができる。
【００６３】
請求項１０に記載した技術にあっては、前記位置規制部として前記載置面に開口する位置規制凹部を形成している。
【００６４】
従って、簡素な構成によって電子機器を安定した状態で保持することができる。
【００６５】
請求項１１に記載した技術にあっては、前記位置規制凹部を前記配線部が配置された部分以外の部分に形成している。
【００６６】
従って、載置部に対する配線部の配置に支障を来たすことなく位置規制部を形成することができる。
【００６７】
請求項１２に記載した技術にあっては、前記カバー部がエラストマーによって形成されている。
【００６８】
従って、電子機器のカバー部に対する位置ずれが生じ難く、電子機器の位置を規制する専用の部分を設けることなく電子機器を安定した状態で保持することができる。
【００６９】
請求項１３に記載した技術にあっては、前記位置規制部として位置規制用マグネットを設けている。
【００７０】
従って、カバー部の表面に加工を施すことなく電子機器を安定した状態で保持することができる。
【００７１】
請求項１４に記載した技術にあっては、前記カバー部に、前記カバー形態が設定されるときに前記板部と前記電子機器の間に位置される接触防止部とが設けられている。
【００７２】
従って、カバー形態が設定されたときに電子機器が操作領域部に接触されず接触防止部に接触されて電子機器の傷付きを防止することができる。
【００７３】
請求項１５に記載した技術にあっては、前記カバー部に前記電子機器が立て掛けられる立掛部が設けられ、前記入力操作部に操作キーが設けられ、前記板部における前記操作キーに対向する部分に前記操作キー側と反対側に開口された操作用凹部が形成されている。
【００７４】
従って、カバー形態が設定されたときに操作領域部と電子機器の接触面積が小さく、電子機器に対する指紋や塵埃の付着を抑制することができる。
【００７５】
請求項１６に記載した技術にあっては、前記カバー部に前記電子機器が立て掛けられる立掛部が設けられ、前記立掛部に、前記電子機器が立て掛けられたときに前記電子機器を受ける背面板が取り付けられ、前記電子機器が前記背面板に、前記背面板に沿って回動自在かつ移動自在に支持されている。
【００７６】
従って、電子機器の向きを変更して使用することができるため、使い勝手の向上を図ることができる。
【００７７】
本技術情報処理装置は、表示面を有する電子機器と、前記電子機器に対する入力操作が行われる入力操作部と前記入力操作部を内部に配置したカバー部とを有する保護カバーとを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされている。
【００７８】
従って、保護カバーのカバー部の内部に入力操作部の他に無線通信用の回路基板やバッテリーを配置する必要がなく、構造の簡素化及び薄型化を図った上で使い勝手の向上を図ることができる。
【発明を実施するための最良の形態】
【００７９】
以下に、本技術を実施するための最良の形態を添付図面に従って説明する。
【００８０】
以下に示した最良の形態は、本技術情報処理装置をパーソナルコンピューターに適用し、本技術保護カバーをこのパーソナルコンピューターの電子機器を保護する保護カバーに適用したものである。
【００８１】
尚、本技術の適用範囲はパーソナルコンピューター及びパーソナルコンピューターの電子機器を保護する保護カバーに限られることはない。本技術は、例えば、ＰＤＡ（Personal Digital Assistant）、電子手帳や電子式のメモ帳等の入力装置、携帯電話等に代表される情報の入力が可能な通信装置等の各種の情報処理装置及びこれらの各種の情報処理装置に設けられる保護カバーに広く適用することができる。
【００８２】
以下の説明にあっては、机上等に保護カバーが縦長の平板状に載置された状態において前後左右の方向を示すものとする。また、電子機器が保護カバーに立て掛けられた状態においては、使用者側を前方とし、電子機器側を後方として前後上下左右の方向を示すものとする。
【００８３】
尚、以下に示す前後上下左右の方向は説明の便宜上のものであり、本技術の実施に関しては、これらの方向に限定されることはない。
【００８４】
［第１の実施の形態における情報処理装置の構成］
以下に、第１の実施の形態における情報処理装置の構成について説明する。
【００８５】
第１の実施の形態における情報処理装置１００は保護カバー１と電子機器２を備えている（図１乃至図４参照）。
【００８６】
保護カバー１は折曲可能とされ、カバー部３とカバー部３の内部に配置された所要の各部とを有している。保護カバー１は折曲前の状態において厚みの薄い縦長の略矩形の板状に形成されている（図５及び図６参照）。
【００８７】
カバー部３は、例えば、摩擦係数の高い材料であるエラストマーによって形成されている。尚、カバー部３はエラストマーに限られることはなく、例えば、シリコン、フエルト、圧縮フエルト、ポリプロピレンやＡＢＳ（acrylonitrile butadiene styrene copolymer）等の樹脂材料、皮等によって形成されてもよい。
【００８８】
カバー部３の内部には所要の各部が配置されている。
【００８９】
カバー部３にはそれぞれ左右方向に延びる第１の折曲部４と第２の折曲部５と第３の折曲部６が前側から後側へ順に前後に離隔して設けられている。
【００９０】
第１の折曲部４の前側の部分は第１の操作領域部７として設けられている。第１の折曲部４と第２の折曲部５の間の部分は、略前半部が第２の操作領域部８として設けられ、第２の操作領域部８の後側の部分が載置部９として設けられている。第２の折曲部５と第３の折曲部６の間の部分は、連結部１０として設けられている。第３の折曲部６の後側の部分は立掛部１１として設けられている。
【００９１】
第１の操作領域部７と第２の操作領域部８と載置部９と連結部１０と立掛部１１はそれぞれ板部として設けられている。
【００９２】
第１の操作領域部７と第２の操作領域部８と載置部９と連結部１０と立掛部１１の内部にはそれぞれ厚みの薄い図示しない板状部材が配置されている。従って、第１の操作領域部７と第２の操作領域部８と載置部９と連結部１０と立掛部１１は剛性が高くされ、板状部材が配置されていない第１の折曲部４と第２の折曲部５と第３の折曲部６はそれぞれ折り曲げ易い状態にされている。板状部材は、例えば、紙や樹脂や金属によって形成されている。
【００９３】
第１の操作領域部７の内部には第１の入力操作部として機能するタッチパッド１２が配置されている（図５及び図６参照）。タッチパッド１２は第１の操作領域部７の左右方向における略中央部に配置されている。タッチパッド１２は第１の操作領域部７の上面側からの操作によって動作可能とされており、例えば、静電容量の変化を検知する静電式や圧力の変化を検知する感圧式等の方式によって動作される。
【００９４】
第１の操作領域部７にはタッチパッド１２が配置された部分の上側に上方に開口された浅い操作用凹部７ａが形成されている（図１及び図７参照）。操作用凹部７ａが形成されていることにより、使用者が外部からタッチパッド１２の位置を特定することができ、使い勝手の向上を図ることができる。
【００９５】
第１の操作領域部７の前端部には後述する結合部が設けられている。
【００９６】
第２の操作領域部８の内部には第２の入力操作部として機能するキーボード１３が配置されている（図５及び図６参照）。キーボード１３には複数の操作キー１３ａ、１３ａ、・・・が設けられている（図７参照）。操作キー１３ａ、１３ａ、・・・は前後左右に並んで配置され、第２の操作領域部８の上面側からの操作によって動作可能とされており、例えば、静電容量の変化を検知する静電式や圧力の変化を検知する感圧式や押圧操作によりキースイッチやメンブレンスイッチが動作される接点式等の方式によって動作される。
【００９７】
第２の操作領域部８には操作キー１３ａ、１３ａ、・・・が配置された各部分の上側にそれぞれ上方に開口された浅い操作用凹部８ａ、８ａ、・・・が形成されている（図１及び図７参照）。操作用凹部８ａ、８ａ、・・・が形成されていることにより、使用者が外部からキーボード１３の各操作キー１３ａ、１３ａ、・・・の位置を特定することができ、使い勝手の向上を図ることができる。
【００９８】
尚、タッチパッド１２及びキーボード１３はカバー部３に着脱可能とされていてもよい。
【００９９】
載置部９の上面は載置面９ａとして形成されている（図１、図５及び図６参照）。
【０１００】
立掛部１１の上面（前面）には、例えば、接着剤１４やネジ等によって横長の矩形状に形成された背面板１５が固定されている（図１、図２、図５及び図６参照）。
【０１０１】
背面板１５は横方向の長さが立掛部１１の横方向の長さより稍短くされ縦方向の長さが立掛部１１の縦方向の長さより長い長方形状に形成されている。背面板１５の縦方向の長さは立掛部１１と連結部１０の縦方向の合計の長さより稍短くされている。背面板１５は後側の略半分の部分が接着剤１４やネジ等によって立掛部１１に固定されている。背面板１５の表面には略中央部に接続端子部１５ａが設けられている。
【０１０２】
カバー部３の内部には配線部として機能する配線板１６の一端側の部分を除いた部分が配置され（図５及び図６参照）、配線板１６としては、例えば、フレキシブルプリント配線板が用いられている。配線部としては屈曲性を有するものであれば他の種類が用いられていてもよく、例えば、導線が被覆部によって被覆されたケーブル等が用いられていてもよい。
【０１０３】
配線板１６は、他端部がタッチパッド１２に接続され、他端寄りの部分がキーボード１３に接続され、一端部が背面板１５に設けられた接続端子部１５ａに接続されている。配線板１６は他端部側から順に第１の操作領域部７、第２の操作領域部８、載置部９、連結部１０及び立掛部１１の内部に配置され、一端寄りの部分が立掛部１１から突出され、突出された部分が背面板１５の内部を挿通されて接続端子部１５ａに接続されている。
【０１０４】
電子機器２は、例えば、厚みの薄い横長の矩形状に形成され、バッテリーを有している。
【０１０５】
電子機器２としては、例えば、タブレット端末が用いられている。タブレット端末は、その表示面にスタイラスペンや指によって操作を行うことにより、各種の情報の入力、情報の表示、表示される情報の変更等を行うことができるデバイスである。タブレット端末としては、例えば、電子手帳、コンピューター装置、電子辞書、電卓、ゲーム機器、通信装置、電子書籍等の各種の態様が存在する。
【０１０６】
電子機器２はバッテリーからの電源の供給により動作される。尚、電子機器２に外部電源（商用電源）から電源が供給されるようにすることも可能である。
【０１０７】
電子機器２の前面は表示面２ａとして形成されている。電子機器２の表示面２ａには、例えば、文字や画像や映像が表示される他、仮想キーボードの表示が可能とされ、また、キーボード１３又は仮想キーボードに対する操作によって入力された文字が表示される文字入力欄の表示が行われる。表示面２ａに表示される仮想キーボードは、その操作キーの配列がキーボード１３の操作キー１３ａ、１３ａ、・・・の配列と同じにされている。
【０１０８】
また、表示面２ａは使用者がスタイラスペンや指で所定の入力操作をすることが可能とされた操作面としても機能し、静電容量の変化を検知する静電式や圧力の変化を検知する感圧式等の方式によって動作が行われるようにされている。
【０１０９】
電子機器２の内部には、情報処理装置１００の全体の制御を司るＣＰＵ（Central Processing Unit）等の制御部１７が内蔵されている（図８参照）。制御部１７によってタッチパッド１２やキーボード１３や仮想キーボードに対する操作に応じて入力された情報の処理や入力された情報に応じた表示面２ａに対する表示等が行われる。
【０１１０】
尚、上記には、制御部１７が電子機器２に内蔵された例を示したが、制御部１７が保護カバー１に内蔵されている構成にすることも可能である（図９参照）。
【０１１１】
電子機器２は表示面２ａの反対側の面に図示しない端子部が設けられ、端子部が背面板１５に設けられた接続端子部１５ａに接続されることにより、配線板１６を介してキーボード１３及びタッチパッド１２に接続される。
【０１１２】
［保護カバーの形態］
保護カバー１にあっては、以下のように折り曲げられて電子機器２のスタンドとして用いられるスタンド形態（図１及び図２参照）と電子機器２を収納して保護するカバー形態（図３及び図４参照）とが設定される。
【０１１３】
スタンド形態は第２の折曲部５において載置部９に対して連結部１０が折り曲げられると共に第３の折曲部６において連結部１０に対して立掛部１１が折り曲げられて設定される（図１及び図２参照）。
【０１１４】
連結部１０は載置部９に対してキーボード１３に近付く方向へ９０°以上の角度、例えば、１００°〜１５０°程度で折り曲げられ、立掛部１１は連結部１０に対してキーボード１３から遠去かる方向へ９０°未満の小さな角度、例えば、１０°〜６０°程度で折り曲げられる。
【０１１５】
このように各部が折り曲げられたスタンド形態において、電子機器２が背面板１５を介して保護カバー１の立掛部１１に立て掛けられる。電子機器２が立掛部１１に立て掛けられた立て掛け状態においては、電子機器２は表示面２ａが上斜め前方を向いて傾斜された状態で背面板１５に受けられ、このとき背面板１５の下端部が載置面９ａに接した状態で載置部９に載置される。電子機器２は下面が載置面９ａに接触又は近接される。
【０１１６】
カバー部３は、上記したように、摩擦係数の高い材料であるエラストマーによって形成されている。従って、背面板１５の下端部が載置面９ａに接した状態において背面板１５が載置面９ａに対してずれ難く、電子機器２の位置を規制する専用の部分を設けることなく電子機器２を安定した状態で保持することができる。
【０１１７】
スタンド形態においては、タッチパッド１２、キーボード１３及び電子機器２に対する各種の操作を行うことが可能である。
【０１１８】
一方、カバー形態は、電子機器２の表示面２ａが第２の操作領域部８及び載置部９に接した状態で、第１の折曲部４において第２の操作領域部８に対して第１の操作領域部７が折り曲げられると共に第２の折曲部５において載置部９に対して連結部１０が折り曲げられて設定される（図３及び図４参照）。
【０１１９】
第１の操作領域部７は第２の操作領域部８に対してキーボード１３に近付く方向へ約１８０°の角度で折り曲げられ、連結部１０は載置部９に対してキーボード１３に近付く方向へ約１８０°の角度で折り曲げられる。
【０１２０】
このように各部が折り曲げられたカバー形態において、第１の操作領域部７に設けられた結合部と立掛部１１に設けられた結合部とが結合され、電子機器２が保護カバー１に包まれた状態で内部に収納される。
【０１２１】
カバー形態においては、電子機器２が保護カバー１に保護された状態で携帯し運搬することが可能である。
【０１２２】
カバー形態においては、電子機器２の表示面２ａが第２の操作領域部８に接した状態で保護カバー１に包まれた状態にされる。
【０１２３】
このとき第２の操作領域部８には表示面２ａ側に開口された操作用凹部８ａ、８ａ、・・・が形成されているため、第２の操作領域部８と表示面２ａの接触面積が小さく、表示面２ａに対する指紋や塵埃の付着を抑制することができる。
【０１２４】
［情報処理装置の動作］
上記のように構成された情報処理装置１００において、第１の操作領域部７の上面側からの操作によってタッチパッド１２が操作されると、操作に応じた情報信号が配線板１６を介して電子機器２に送出される。送出された情報信号は制御部１７によって制御されて所定の処理が行われ、電子機器２の表示面２ａに対する表示等の動作が実行される。
【０１２５】
また、第２の操作領域部８の上面側からの操作によってキーボード１３の操作キー１３ａ、１３ａ、・・・が操作されると、操作に応じた情報信号が配線板１６を介して電子機器２に送出される。送出された情報信号は制御部１７によって制御されて所定の処理が行われ、電子機器２の表示面２ａに対する表示等の動作が実行される。
【０１２６】
上記した各動作は電子機器２に設けられたバッテリーから電源が供給されることにより行われる。従って、タッチパッド１２及びキーボード１３の操作に応じた情報信号の送出等の動作は、バッテリーから配線板１６によってタッチパッド１２及びキーボード１３に電源が供給されることにより行われる。
【０１２７】
上記のように、情報処理装置１００においては、タッチパッド１２及びキーボード１３の操作に応じた各動作が無線通信によらず配線板１６による有線通信によって行われる。
【０１２８】
［位置規制部］
以下に、保護カバー１の載置部９に設けられた位置規制部の各例について説明する（図１０乃至図１７参照）。
【０１２９】
載置部９に設けられた位置規制部によって電子機器２の載置部９に対する位置ずれが防止され、電子機器２が安定した状態で立掛部１１に立て掛けられて電子機器２の良好な使用状態を確保することができる。
【０１３０】
＜第１の例＞
位置規制部の第１の例として、載置面９ａから上方へ突出され左右方向に延びる位置規制突部１８、１８、・・・が前後に離隔して設けられている（図１０参照）。背面板１５の下端部又は電子機器２の下端部が後方から位置規制突部１８に係合され、電子機器２が所定の傾斜状態で保持される。
【０１３１】
背面板１５の下端部又は電子機器２の下端部を位置規制突部１８、１８、・・・のうち所望の位置規制突部１８に係合させることにより、傾斜状態を変更して電子機器２を保持することが可能であり使い勝手の向上を図ることができる。
【０１３２】
このように位置規制部として、載置面９ａから突出された位置規制突部１８、１８、・・・を設けることにより、簡素な構成によって電子機器２を安定した状態で保持することができる。
【０１３３】
＜第２の例＞
位置規制部の第２の例として、載置面９ａに上方に開口され左右方向に延びる位置規制凹部１９、１９、・・・が前後に離隔して形成されている（図１１及び図１２参照）。背面板１５の下端部又は電子機器２の下端部が位置規制凹部１９に挿入され、電子機器２が所定の傾斜状態で保持される。
【０１３４】
背面板１５の下端部又は電子機器２の下端部を位置規制凹部１９、１９、・・・のうち所望の位置規制凹部１９に挿入することにより、傾斜状態を変更して電子機器２を保持することが可能であり使い勝手の向上を図ることができる。
【０１３５】
このように位置規制部として、載置面９ａに開口された位置規制凹部１９、１９、・・・を形成することにより、簡素な構成によって電子機器２を安定した状態で保持することができる。
【０１３６】
尚、位置規制部として、載置面９ａに上方に開口され左右に離隔する位置規制凹部１９Ａ、１９Ａ、・・・を前後に離隔して形成してもよい（図１３及び図１４参照）。位置規制凹部１９Ａ、１９Ａ、・・・は、例えば、左右に離隔した二つずつが前後に離隔して形成されている。
【０１３７】
この場合には背面板１５の下端部又は電子機器２の下端部に左右に離隔して二つの挿入用突部２０、２０が設けられている（図１３及び図１４には背面板に挿入突部が設けられた例を示す。）。背面板１５又は電子機器２の挿入用突部２０、２０がそれぞれ位置規制凹部１９Ａ、１９Ａに挿入され、電子機器２が所定の傾斜状態で保持される。
【０１３８】
背面板１５又は電子機器２の挿入用突部２０、２０を位置規制凹部１９Ａ、１９Ａ、・・・のうち所望の位置規制凹部１９Ａ、１９Ａに挿入することにより、傾斜状態を変更して電子機器２を保持することが可能であり使い勝手の向上を図ることができる。
【０１３９】
このように位置規制部として、載置面９ａに開口された位置規制凹部１９Ａ、１９Ａ、・・・を形成することにより、簡素な構成によって電子機器２を安定した状態で保持することができる。
【０１４０】
また、位置規制凹部１９Ａ、１９Ａ、・・・のように、載置部９の左右に離隔した位置に位置規制部を形成することにより、載置部９における配線板１６が配置された部分以外の部分に位置規制部を形成することが可能になり、載置部９に対する配線板１６の配置に支障を来たすことなく位置規制部を形成することができる。
【０１４１】
＜第３の例＞
位置規制部の第３の例として、載置部９に配置された位置規制用マグネット２１、２１、・・・が前後に離隔して設けられている（図１５参照）。背面板１５の下端部又は電子機器２の下端部が磁性材料によって形成されていることにより、背面板１５の下端部又は電子機器２の下端部が位置規制用マグネット２１に吸着され、電子機器２が所定の傾斜状態で保持される。
【０１４２】
背面板１５の下端部又は電子機器２の下端部を位置規制用マグネット２１、２１、・・・のうち所望の位置規制用マグネット２１に吸着させることにより、傾斜状態を変更して電子機器２を保持することが可能であり使い勝手の向上を図ることができる。
【０１４３】
このように位置規制部として、載置部９に位置規制用マグネット２１、２１、・・・を配置することにより、カバー部３の表面に加工を施すことなく電子機器２を安定した状態で保持することができる。
【０１４４】
尚、背面板１５の下端部又は電子機器２の下端部が磁性材料によって形成されていない場合には、背面板１５の下端部又は電子機器２の下端部に位置規制用マグネット２１に吸着される磁性材料又はマグネットを設けてもよい。
【０１４５】
＜第４の例＞
位置規制部の第４の例として、連結部１０と背面板１５を結合する紐部材２２が設けられている（図１６参照）。紐部材２２が伸長された状態にされることにより、電子機器２が所定の傾斜状態で保持される。
【０１４６】
保護カバー１がカバー形態に設定されるときには、紐部材２２がカバー部３と背面板１５の間で折り畳まれる（図１７参照）。
【０１４７】
このように位置規制部として、連結部１０と背面板１５を結合する紐部材２２を設けることにより、カバー部３の表面に加工を施すことなく簡素な構成によって電子機器２を安定した状態で保持することができる。
【０１４８】
また、保護カバー１がカバー形態に設定されるときには紐部材２２が折り畳まれるため、紐部材２２の存在が保護カバー１のカバー形態への設定に支障を来たすことがない。
【０１４９】
［結合部］
以下に、保護カバー１の第１の操作領域部７と立掛部１１等にそれぞれ設けられた結合部の各例について説明する（図１８乃至図３２参照）。
【０１５０】
保護カバー１がカバー形態に設定された状態において、第１の操作領域部７と立掛部１１にそれぞれ設けられた結合部同士を結合することにより、情報処理装置１００の携帯性の向上を図ることができると共に保護カバー１からの電子機器２の脱落を防止することができる。
【０１５１】
＜第１の例＞
結合部の第１の例として、第１の操作領域部７にマグネット２３が設けられ立掛部１１に磁性部材２４、２４、・・・が前後に離隔して設けられている（図１８参照）。マグネット２３に磁性部材２４が吸着されることによりマグネット２３と磁性部材２４が結合される。
【０１５２】
マグネット２３に磁性部材２４、２４、・・・のうち所望の磁性部材２４を吸着させることにより、電子機器２の大きさに応じて保護カバー１のカバー形態における大きさを変更することができる（図１９及び図２０参照）。この場合にはカバー形態における大きさを変更するときにそれぞれ異なる部分で保護カバー１の折曲が可能となるように、カバー部３の所定の各部分に大きさの変更に応じて折曲可能とされる折曲部が設けられている。
【０１５３】
尚、上記には、第１の操作領域部７にマグネット２３が設けられ立掛部１１に磁性部材２４が設けられた例を示したが、逆に、第１の操作領域部７に磁性部材が設けられ立掛部１１にマグネットが設けられてもよく、また、第１の操作領域部７と立掛部１１にともにマグネットが設けられてもよい。
【０１５４】
＜第２の例＞
結合部の第２の例として、第１の操作領域部７と立掛部１１の一方に留め具２５が設けられ他方に紐２６が連結された留め具２７が設けられている（図２１参照）。紐２６が留め具２５に巻き付けられることにより留め具２５と留め具２７が結合される。
【０１５５】
紐２６の留め具２７に対する巻付位置を変更することにより、保護カバー１のカバー形態における大きさを変更することができる。
【０１５６】
＜第３の例＞
結合部の第３の例として、第１の操作領域部７と立掛部１１の一方にエレメント２８が設けられ他方にスライダー２９が支持されたエレメント３０が設けられ、スライドファスナーが構成されている（図２２参照）。スライダー２９がスライドされてエレメント２８とエレメント３０が結合される。
【０１５７】
尚、結合部の第３の例においては、スライドファスナーに代えて面ファスナーを用いてもよい。
【０１５８】
＜第４の例＞
結合部の第４の例として、第１の操作領域部７と立掛部１１の一方に留め釦３１が設けられ他方にスリット３２が形成されている（図２３参照）。留め釦３１がスリット３２に挿入され留め釦３１とスリット３２の周囲の部分とが係合されて結合される。
【０１５９】
＜第５の例＞
結合部の第５の例として、第１の操作領域部７にスリット３３が形成され立掛部１１に一部をコ字状に切断して形成した舌片状の係合片３４が設けられている（図２４参照）。係合片３４がスリット３３に挿入され係合片３４と第１の操作領域部７におけるスリット３３の周囲の部分とが係合されて結合される（図２５参照）。
【０１６０】
＜第６の例＞
結合部の第６の例として、第１の操作領域部７に一部をコ字状に切断して形成した舌片状の係合片３５が設けられ立掛部１１にスリット３６が形成されている（図２６参照）。係合片３５がスリット３６に挿入され係合片３５と立掛部１１におけるスリット３６の周囲の部分とが係合されて結合される（図２７参照）。
【０１６１】
＜第７の例＞
結合部の第７の例として、第１の操作領域部７と立掛部１１に先端縁から折り返されるように突出されて形成された係合突部３７、３８がそれぞれ設けられている（図２８参照）。係合突部３７、３８が設けられることにより第１の操作領域部７と立掛部１１にそれぞれ係合凹部３７ａ、３８ａが形成されている。
【０１６２】
この場合に第１の操作領域部７の先端部と立掛部１１の先端部と係合突部３７、３８は硬度の高い材料によって形成されていることが望ましい。また、第１の操作領域部７の先端部以外の部分と立掛部１１の先端部以外の部分とは伸縮性を有する材料によって形成されていることが望ましい。
【０１６３】
係合凹部３７ａ、３８ａが反対方向に開口された状態において、係合突部３７が係合凹部３８ａに挿入され係合突部３８が係合凹部３７ａに挿入されることにより係合突部３７、３８が係合されて結合される。
【０１６４】
＜第８の例＞
結合部の第８の例として、第１の操作領域部７と立掛部１１の一方に突部３９が設けられ他方に凹部４０が形成されている（図２９参照）。突部３９が凹部４０に嵌合されて突部３９と凹部４０が結合される。
【０１６５】
＜第９の例＞
結合部の第９の例として、第１の操作領域部７の先端部が硬度の低い柔軟部４１として設けられ立掛部１１の先端部が弾性変形可能なバネ部４２として設けられている（図３０参照）。バネ部４２が弾性変形されて柔軟部４１に押し付けられることにより柔軟部４１とバネ部４２が結合される（図３１参照）。
【０１６６】
バネ部４２の柔軟部４１に対する押付位置を変更することにより、保護カバー１のカバー形態における大きさを変更することができる。
【０１６７】
尚、上記には、第１の操作領域部７に柔軟部４１が設けられ立掛部１１にバネ部４２が設けられた例を示したが、逆に、第１の操作領域部７にバネ部が設けられ立掛部１１に柔軟部が設けられてもよい。
【０１６８】
＜その他の例＞
上記には、保護カバー１の第１の操作領域部７と立掛部１１に設けられた結合部の各例について説明したが、第１の操作領域部７と立掛部１１に結合部を設けず、例えば、カバー形態に設定された保護カバー１をゴムバンド４３によって保持して情報処理装置１００の携帯性の向上及び保護カバー１からの電子機器２の脱落を防止してもよい（図３２参照）。
【０１６９】
［保護カバーの変形例］
以下に、保護カバーの変形例について説明する（図３３乃至図３５参照）。
【０１７０】
変形例に係る保護カバー１Ａは上記した保護カバー１の構成に加えて第１の操作領域部７の前側に第１の操作領域部７に連続する延設部４４が設けられ、第１の操作領域部７と延設部４４によって接触防止部４５が構成されている（図３３参照）。接触防止部４５は前後方向の長さが第２の操作領域部８の前後方向の長さと略同じにされている。尚、接触防止部４５は硬度の低い材料によって形成されることが望ましい。
【０１７１】
保護カバー１Ａには立掛部１１の後側（上側）に立掛部１１に連続する折返し部４６が設けられ、立掛部１１と折返し部４６の間の部分が第４の折曲部４７として設けられている。
【０１７２】
保護カバー１Ａには第１の操作領域部７と立掛部１１に結合部が設けられておらず、第２の操作領域部８の下面における第１の操作領域部７側の端部と折返し部４６にそれぞれ結合部が設けられている。
【０１７３】
保護カバー１Ａがカバー形態に設定されるときには、先ず、第１の折曲部４において接触防止部４５が第２の操作領域部８に対して折り曲げられ、接触防止部４５によって第２の操作領域部８が上方から閉塞される（図３４参照）。
【０１７４】
次に、第２の折曲部５において連結部１０が載置部９に対して折り曲げられ電子機器２が接触防止部４５に載置される。このとき電子機器２の表示面２ａが接触防止部４５に接触される。
【０１７５】
最後に、第４の折曲部４７において折返し部４６が立掛部１１に対して略１８０°折り曲げられて保護カバー１Ａがカバー形態に設定され、第１の操作領域部７の結合部と折返し部４６の結合部とが結合され電子機器２が保護カバー１Ａに包まれた状態で内部に収納される（図３５参照）。
【０１７６】
このように接触防止部４５を設けることにより、カバー形態が設定されたときに電子機器２の表示面２ａが第２の操作領域部８に接触されず接触防止部４５に接触されて表示面２ａの傷付きを防止することができる。特に、接触防止部４５を硬度の低い材料によって形成することにより、表示面２ａの傷付きを高い確率で防止することができる。
【０１７７】
［電子機器及び背面板の変形例］
以下に、電子機器及び背面板の第１の変形例について説明する（図３６乃至図３８参照）。
【０１７８】
第１の変形例に係る電子機器２Ａは上記した電子機器２の構成に加えて背面から突出された被支持軸４８が設けられ、被支持軸４８は電子機器２の背面に連続する小径軸部４８ａと小径軸部４８ａの先端部に設けられた大径軸部４８ｂとから成る（図３６参照）。
【０１７９】
第１の変形例に係る背面板１５Ａは上記した背面板１５の構成に加えて前方に開口された縦長の支持穴４９を有している。支持穴４９は前側に位置する幅狭部４９ａと後側に位置する幅広部４９ｂとから成り、幅広部４９ｂの横幅が幅狭部４９ａの横幅より大きくされている。
【０１８０】
電子機器２Ａは小径軸部４８ａが幅狭部４９ａに支持され大径軸部４８ｂが幅広部４９ｂに支持されることにより、背面板１５Ａに上下方向へ移動自在かつ被支持軸４８を支点として回動自在に支持されている。
【０１８１】
電子機器２Ａは被支持軸４８が支持穴４９の下方側に位置されている状態において横長の状態で背面板１５Ａを介して保護カバー１の立掛部１１に立て掛けられている（図３７参照）。
【０１８２】
このような横長の状態から電子機器２Ａが背面板１５Ａに対して上方へ移動され被支持軸４８を支点として９０°回動されると、電子機器２Ａが縦長の状態になる。電子機器２Ａの回動は、載置部９との接触を回避するために、背面板１５Ａとともに載置部９から持ち上げられた状態で行われる。
【０１８３】
上方へ移動された電子機器２Ａが９０°回動されると縦長の状態にされ、続いて、背面板１５Ａがカバー部３の載置部９に接して載置されることにより電子機器２Ａが縦長の状態で背面板１５Ａを介して保護カバー１の立掛部１１に立て掛けられる（図３８参照）。このとき電子機器２Ａの表示面２ａに表示される文字等は、制御部１７による制御によって向きが変更されて電子機器２Ａが縦長の状態においても正立した状態にされる。
【０１８４】
電子機器２Ａが縦長の状態において、上記とは逆の動作が行われると、電子機器２Ａが再び横長の状態で背面板１５Ａを介して保護カバー１の立掛部１１に立て掛けられる（図３７参照）。
【０１８５】
尚、上記のように、電子機器２Ａが背面板１５Ａに対して上下方向へ移動かつ回動される場合には電子機器２Ａの端子部の接続端子部１５ａに対する位置が変更される。従って、この場合には、例えば、端子部と接続端子部１５ａがフレキシブルプリント配線板によって接続されたり、電子機器２Ａの背面板１５Ａに対する位置の変化に応じた位置に二つの端子部を設けて電子機器２Ａの背面板１５Ａの位置に拘わらず端子部と接続端子部１５ａが接続されるように構成されている。
【０１８６】
上記のように電子機器２Ａが背面板１５Ａに回動自在かつ移動自在に支持されることにより、電子機器２Ａの向きを変更して使用することができるため、使い勝手の向上を図ることができる。
【０１８７】
尚、上記には、電子機器２Ａに被支持軸４８が設けられ、背面板１５Ａに被支持軸４８が支持される支持穴４９が形成された例を示したが、逆に、電子機器に支持穴が形成され、背面板に支持穴に支持される被支持軸が設けられていてもよい。
【０１８８】
次に、電子機器及び背面板の第２の変形例について説明する（図３９乃至図４１参照）。
【０１８９】
第２の変形例に係る電子機器２Ｂは上記した電子機器２の構成に加えて背面から突出された連結軸５０が設けられている（図３９参照）。
【０１９０】
第２の変形例に係る背面板１５Ｂは上記した背面板１５の構成に加えて前方に開口された縦長の支持穴５１を有している。背面板１５Ｂには支持穴５１の後側に機構配置空間５２が形成され、機構配置空間５２は支持穴５１に連通されている。
【０１９１】
機構配置空間５２にはピニオンギヤ５３とラック５４が配置されている。
【０１９２】
ピニオンギヤ５３の中心部には連結軸５０が連結されている。従って、ピニオンギヤ５３と電子機器２Ｂは一体になって回転される。
【０１９３】
ラック５４は上下に延びる状態で配置されている。ラック５４にはピニオンギヤ５３が噛合されている。従って、電子機器２Ｂが回動されると、ピニオンギヤ５３はラック５４に噛合された状態で上下方向へ移動され、ピニオンギヤ５３の移動に伴って電子機器２Ｂも上下方向へ移動される。
【０１９４】
このように電子機器２Ｂはピニオンギヤ５３を介して背面板１５Ａに上下方向へ移動自在かつ連結軸５０を支点として回動自在に支持されている。
【０１９５】
電子機器２Ｂは連結軸５０が支持穴５１の下方側に位置されている状態において横長の状態で背面板１５Ｂを介して保護カバー１の立掛部１１に立て掛けられている（図４０参照）。
【０１９６】
このような横長の状態から電子機器２Ｂが一方向へ回動されていくと、ピニオンギヤ５３がラック５４に噛合された状態で回転され、電子機器２Ｂがピニオンギヤ５３と一体になって上方へ移動される。電子機器２Ｂの回動は、載置部９との接触を回避するために、背面板１５Ｂとともに載置部９から持ち上げられた状態で行われる。
【０１９７】
上方へ移動された電子機器２Ｂが９０°回動されると縦長の状態にされ、続いて、背面板１５Ｂがカバー部３の載置部９に接して載置されることにより電子機器２Ｂが縦長の状態で背面板１５Ｂを介して保護カバー１の立掛部１１に立て掛けられる（図４１参照）このとき電子機器２Ｂの表示面２ａに表示される文字等は、制御部１７による制御によって向きが変更されて電子機器２Ｂが縦長の状態においても正立した状態にされる。
【０１９８】
電子機器２Ｂが縦長の状態において、上記とは逆の動作が行われると、電子機器２Ｂが再び横長の状態で背面板１５Ｂを介して保護カバー１の立掛部１１に立て掛けられる（図４０参照）。
【０１９９】
尚、上記のように、電子機器２Ｂが背面板１５Ｂに対して上下方向へ移動かつ回動される場合には電子機器２Ｂの端子部の接続端子部１５ａに対する位置が変更される。従って、この場合には、例えば、端子部と接続端子部１５ａがフレキシブルプリント配線板によって接続されたり、電子機器２Ｂの背面板１５Ｂに対する位置の変化に応じた位置に二つの端子部を設けて電子機器２Ｂの背面板１５Ｂの位置に拘わらず端子部と接続端子部１５ａが接続されるように構成されている。
【０２００】
上記のように電子機器２Ｂが背面板１５Ｂに回動自在かつ移動自在に支持されることにより、電子機器２Ｂの向きを変更して使用することができるため、使い勝手の向上を図ることができる。
【０２０１】
また、第２の変形例に係る電子機器２Ｂ及び背面板１５Ｂにあっては、電子機器２Ｂを回動させるときに同時に上下方向へ移動される構成にされているため、電子機器２Ｂの向きの変更を迅速かつ容易に行うことができる。
【０２０２】
尚、上記には、背面板１５Ｂの内部にピニオンギヤ５３及びラック５４が配置された例を示したが、逆に、電子機器の内部にピニオンギヤ及びラックが配置されていてもよい。また、ピニオンギヤ５３及びラック５４が電子機器２Ｂと背面板１５Ｂの間に位置されるようにしてもよい。
【０２０３】
また、上記には、一つのピニオンギヤ５３を用いた例を示したが、電子機器２Ｂからラック５４までの間に複数のギヤを配置してもよく、また、ギヤを複数段の構成にしてもよい。
【０２０４】
［情報処理装置における各制御動作］
以下に、情報処理装置１００において行われる制御動作の各例について説明する（図４２乃至図５１参照）。
【０２０５】
＜第１の例＞
制御動作の第１の例は、電子機器２の状態を検出し、電子機器２が立掛部１１に立て掛けられた状態が検出されなかったときはタッチパッド１２及びキーボード１３に対する入力を無効化する例である（図４２及び図４３参照）。
【０２０６】
電子機器２には加速度センサー５５又は振動センサーが内蔵されている（図４２参照）。第１の例においては、加速度センサー５５又は振動センサーによって電子機器２の動きが検出され、以下のようなステップに基づいて制御動作が実行される（図４３参照）。
【０２０７】
（Ｓ１）加速度センサー５５又は振動センサーによって電子機器２の動きを検出する検出動作が開始され、加速度センサー５５又は振動センサーによって電子機器２が立て掛け状態であることが検出されると（Ｓ２）に移行し、加速度センサー５５又は振動センサーによって電子機器２が立て掛け状態から変化したことが検出されると（Ｓ３）に移行する。
【０２０８】
加速度センサー５５又は振動センサーによる電子機器２が立て掛け状態であることの検出は、一定の閾値未満の加速度の変化量又は振動量が検知されたときに行われる。従って、加速度センサー５５又は振動センサーによって、一定の閾値以上の加速度の変化量又は振動量が検知されたときには電子機器２が立て掛け状態から変化したことが検出される。
【０２０９】
（Ｓ２）電子機器２又は保護カバー１に内蔵された制御部１７によって、入力操作部として機能するタッチパッド１２及びキーボード１３に対する入力を有効とする制御が行われ制御動作が終了する。
【０２１０】
（Ｓ３）制御部１７によって、入力操作部として機能するタッチパッド１２及びキーボード１３に対する入力を無効とする制御が行われ制御動作が終了する。
【０２１１】
このように電子機器２が立て掛け状態にないときにタッチパッド１２及びキーボード１３に対する入力を無効とすることにより、保護カバー１を開いて電子機器２を立掛部１１に立て掛けようとするときや電子機器２を保護カバー１に収納しようとするときに、意図せずタッチパッド１２又はキーボード１３に指が接触した場合においても誤入力を防止することができる。
【０２１２】
尚、上記には、電子機器２の立て掛け状態の検出を電子機器２に内蔵された加速度センサー５５又は振動センサーによって行う例を示したが、電子機器２の立て掛け状態の検出は、電子機器２の下面が保護カバー１に接触又は近接することにより検出することも可能である。
【０２１３】
このような検出方法としては、例えば、電子機器２に設けられたタッチパネルの静電容量の変化により電子機器２の下面が保護カバー１に接触又は近接しているか否かを検出する方法がある。
【０２１４】
また、電子機器２に磁気センサーを設け、保護カバー１にマグネットを設け、磁気センサーによりタッチパッドの位置を検知して電子機器２の下面が保護カバー１に接触又は近接しているか否かを検出する方法もある。尚、この方法にあっては、逆に、電子機器２にマグネットを設け、保護カバー１に磁気センサーを設けてもよい。
【０２１５】
さらに、電子機器２に光学式の接触検知センサーを設け、電子機器２の下面が保護カバー１に接触又は近接しているか否かを検出する方法もある。
【０２１６】
＜第２の例＞
制御動作の第２の例は、立て掛け状態における電子機器２の傾斜角度又は電子機器２の保護カバー１に対する位置を検出し、電子機器２の傾斜角度又は位置に応じて電子機器２の表示面２ａに電子機器２によって遮蔽されていると推定されるキーボード１３の操作キー１３ａ、１３ａ、・・・を表示する例である（図４４乃至図４９参照）。
【０２１７】
キーボード１３の操作キー１３ａ、１３ａ、・・・は、例えば、縦５行に配列されている（図４４参照）。
【０２１８】
立て掛け状態における電子機器２の傾斜角度の検出は電子機器２に内蔵された加速度センサー５５によって行われる。
【０２１９】
加速度センサー５５によって電子機器２の傾斜角度αが、例えば、１０°以上〜２０°未満であることが検出された場合には、キーボード１３の第１行目Ａの操作キー１３ａ、１３ａ、・・・が電子機器２によって遮蔽されていると推定される（図４５の左図参照）。従って、電子機器２の表示面２ａに第１行目Ａの操作キー１３ａ、１３ａ、・・・が仮想キーボードとして表示される（図４５の右図参照）。
【０２２０】
また、加速度センサー５５によって電子機器２の傾斜角度αが、例えば、２０°以上〜３０°未満であることが検出された場合には、キーボード１３の第１行目Ａの操作キー１３ａ、１３ａ、・・・と第２行目Ｂの操作キー１３ａ、１３ａ、・・・とが電子機器２によって遮蔽されていると推定される（図４６の左図参照）。従って、電子機器２の表示面２ａに第１行目Ａの操作キー１３ａ、１３ａ、・・・と第２行目Ｂの操作キー１３ａ、１３ａ、・・・とが仮想キーボードとして表示される（図４６の右図参照）。
【０２２１】
同様に、電子機器２の傾斜角度αの検出結果に応じて電子機器２に遮蔽されていると推定される第３行目Ｃ、第４行目Ｄ、第５行目Ｅの操作キー１３ａ、１３ａ、・・・が表示面２ａに仮想キーボードとして表示される。
【０２２２】
一方、立て掛け状態における電子機器２の位置の検出は、電子機器２の下面にポインター５６が設けられ、保護カバー１の第２の操作領域部８と載置部９に亘って前後に延びるスケール５７が設けられ、ポインター５６のスケール５７に対する位置が検知されて行われる（図４７参照）。
【０２２３】
ポインター５６とスケール５７の組み合わせとしては、例えば、誘電体と静電容量式のタッチパネルがあり、ポインター５６の位置に応じてスケール５７における静電容量の変化が生じることにより電子機器２の保護カバー１に対する位置の検出が行われる。
【０２２４】
また、ポインター５６とスケール５７の組み合わせとしては、例えば、磁性体と磁気センサーもあり、ポインター５６の位置に応じてスケール５７における磁界の変化が生じることにより電子機器２の保護カバー１に対する位置の検出が行われる。
【０２２５】
ポインター５６とスケール５７の検出結果により電子機器２がキーボード１３の第１行目Ａの操作キー１３ａ、１３ａ、・・・を遮蔽していると推定された場合（図４８の左図参照）には、電子機器２の表示面２ａに第１行目Ａの操作キー１３ａ、１３ａ、・・・が仮想キーボードとして表示される（図４８の右図参照）。
【０２２６】
また、ポインター５６とスケール５７の検出結果により電子機器２がキーボード１３の第１行目Ａの操作キー１３ａ、１３ａ、・・・と第２行目Ｂの操作キー１３ａ、１３ａ、・・・とを遮蔽していると推定された場合（図４９の左図参照）には、電子機器２の表示面２ａに第１行目Ａの操作キー１３ａ、１３ａ、・・・と第２行目Ｂの操作キー１３ａ、１３ａ、・・・とが仮想キーボードとして表示される（図４９の右図参照）。
【０２２７】
同様に、電子機器２の位置の検出結果に応じて電子機器２に遮蔽されていると推定される第３行目Ｃ、第４行目Ｄ、第５行目Ｅの操作キー１３ａ、１３ａ、・・・が表示面２ａに仮想キーボードとして表示される。
【０２２８】
このように電子機器２によって遮蔽されていると推定されるキーボード１３の操作キー１３ａ、１３ａ、・・・を仮想キーボードとして電子機器２の表示面２ａに表示することにより、電子機器２の傾斜角度及び電子機器２の保護カバー１に対する位置に拘わらずキーボード（キーボード１３又は仮想キーボード）の全ての操作キーに対する入力を行うことができ、操作性の向上を図ることができる。
【０２２９】
＜第３の例＞
制御動作の第３の例は、電子機器２の状態を検出し、電子機器２が立掛部１１に立て掛けられた状態が検出されているときは表示面２ａに対する仮想キーボードの表示の操作が行われても表示面２ａに仮想キーボードの表示を行わないようにする例である（図５０及び図５１参照）。
【０２３０】
上記したように、電子機器２の表示面２ａには仮想キーボードの表示が可能とされ、また、キーボード１３又は仮想キーボードに対する操作によって入力された文字が表示される文字入力欄の表示が行われる。
【０２３１】
表示面２ａに対する仮想キーボードの表示は、表示面２ａに表示されている文字入力欄上に使用者によってカーソルが合わせれて選択操作されたときに行うことが可能とされている。
【０２３２】
電子機器２には加速度センサー５５又は振動センサーが内蔵されており、制御動作の第１の例と同様の検出動作が行われる。
【０２３３】
電子機器２が立て掛け状態であることが検出されていないときには、使用者によって文字入力欄５８上にカーソル５９が合わされて選択操作されると、表示面２ａに仮想キーボード６０が表示される（図５０参照）。従って、使用者がキーボード１３又は仮想キーボード６０に対する操作によって入力された文字が文字入力欄５８に表示される。
【０２３４】
一方、電子機器２が立て掛け状態であることが検出されているときには、使用者によって文字入力欄５８上にカーソル５９が合わされて選択操作されても、表示面２ａに仮想キーボード６０が表示されない（図５１参照）。従って、使用者がキーボード１３に対する操作によって入力された文字が文字入力欄５８に表示される。
【０２３５】
電子機器２が立て掛け状態にあるときにはキーボード１３に対する操作が可能である。従って、上記のように、電子機器２が立て掛け状態であることが検出されているときに表示面２ａに仮想キーボード６０を表示しない制御をすることにより、表示面２ａに対する不必要な表示が省略され、使用者における操作性の簡素化を図ることができる。
【０２３６】
尚、電子機器２が立て掛け状態であるときにも、キーボード１３の一部が電子機器２によって遮蔽されている場合も生じる可能性があるが、この場合には上記した制御動作の第２の例によって電子機器２に遮蔽されていると推定される操作キーが仮想キーボードとして表示面２ａに表示されるため、使用者による操作性の低下を来たすことはない。
【０２３７】
＜その他の例＞
上記には、制御動作の第１の例、第２の例及び第３の例が保護カバー１、電子機器２及び背面板１５において行われる例を示したが、制御動作の第１の例、第２の例及び第３の例は変形例に係る保護カバー１Ａ、電子機器２Ａ及び背面板１５Ａにおいても行うことが可能である。
【０２３８】
［第２の実施の形態における情報処理装置の構成］
次に、第２の実施の形態における情報処理装置の構成について説明する。
【０２３９】
第２の実施の形態における情報処理装置２００は保護カバー６１と電子機器６２を備えている（図５２乃至図５８参照）。
【０２４０】
保護カバー６１は折曲可能とされ、カバー部６３とカバー部６３の内部に配置された所要の各部とを有している。保護カバー６１は折曲前の状態において厚みの薄い縦長の略矩形の板状に形成されている（図５６及び図５７参照）。
【０２４１】
カバー部６３は、例えば、摩擦係数の高い材料であるエラストマーによって形成されている。尚、カバー部６３はエラストマーに限られることはなく、例えば、シリコン、フエルト、圧縮フエルト、ポリプロピレンやＡＢＳ（acrylonitrile butadiene styrene copolymer）等の樹脂材料、皮等によって形成されてもよい。
【０２４２】
カバー部６３の内部には所要の各部が配置されている。
【０２４３】
カバー部６３にはそれぞれ左右方向に延びる第１の折曲部６４と第２の折曲部６５が順に前後に離隔して設けられている。
【０２４４】
第１の折曲部６４の前側の部分は、前側略半分の部分が操作領域部６６として設けられ、後側略半分の部分が載置部６７として設けられている。第１の折曲部６４と第２の折曲部６５の間の部分は、連結部６８として設けられている。第２の折曲部６５の後側の部分は立掛部６９として設けられている。
【０２４５】
操作領域部６６と載置部６７と連結部６８と立掛部６９はそれぞれ板部として設けられている。操作領域部６６と載置部６７の合計した前後方向における長さは連結部６８と立掛部６９の合計した前後方向における長さと略同じにされている。
【０２４６】
第１の折曲部６４の前側の部分と連結部６８と立掛部６９の内部にはそれぞれ厚みの薄い図示しない板状部材が配置されている。従って、操作領域部６６と載置部６７と連結部６８と立掛部６９は剛性が高くされ、板状部材が配置されていない第１の折曲部６４と第２の折曲部６５はそれぞれ折り曲げ易い状態にされている。板状部材は、例えば、紙や樹脂や金属によって形成されている。
【０２４７】
操作領域部６６の内部には入力操作部として機能するキーボード７０が配置されている（図５６及び図５７参照）。キーボード７０には複数の操作キー７０ａ、７０ａ、・・・が設けられている（図５８参照）。操作キー７０ａ、７０ａ、・・・は前後左右に並んで配置され、操作領域部６６の上面側からの操作によって動作可能とされており、例えば、静電容量の変化を検知する静電式や圧力の変化を検知する感圧式や押圧操作によりキースイッチやメンブレンスイッチが動作される接点式等の方式によって動作される。
【０２４８】
操作領域部６６には操作キー７０ａ、７０ａ、・・・が配置された各部分の上側にそれぞれ上方に突出された高さの低い操作用凸部６６ａ、６６ａ、・・・が形成されている（図５２及び図５８参照）。操作用凸部６６ａ、６６ａ、・・・が形成されていることにより、使用者が外部からキーボード７０の各操作キー７０ａ、７０ａ、・・・の位置を特定することができ、使い勝手の向上を図ることができる。
【０２４９】
尚、キーボード７０はカバー部６３に着脱可能とされていてもよい。
【０２５０】
載置部６７の上面は載置面６７ａとして形成されている（図５２、図５６及び図５７参照）。載置面６７ａにおける操作領域部６６側の端部には、左右に延びる高さの低い載置用突部６７ｂが設けられている。
【０２５１】
立掛部６９の上面（前面）には、例えば、接着剤７１やネジ等によって横長の矩形状に形成された背面板７２が固定されている（図５２、図５３、図５６及び図５７参照）。
【０２５２】
背面板７２は横方向の長さが立掛部６９の横方向の長さより稍短くされ縦方向の長さが連結部６８の縦方向の長さより長い長方形状に形成されている。背面板７２の縦方向の長さは立掛部６９と連結部６８の縦方向の合計の長さより短くされている。背面板７２は後端部（上端部）が接着剤７１やネジ等によって立掛部６９の前端部（下端部）に固定されている。背面板７２の表面における前端部（下端部）には左右方向における略中央部に接続端子部７２ａが設けられている。
【０２５３】
背面板７２には後端部（上端部）に第１の挿通孔７２ｂが形成され前端部（下端部）に第２の挿通孔７２ｃが形成されている。第１の挿通孔７２ｂは左右方向における中央部に対して稍右寄りの位置に形成され、第２の挿通孔７２ｃは左右方向における中央部に形成されている。
【０２５４】
カバー部６３の内部には配線部として機能する配線板７３の一端側の部分を除く部分が配置され、背面板７２の内部には配線部として機能する配線板７４の一端部を除く部分が配置されている（図５６、図５７及び図５９参照）。
【０２５５】
配線板７３、７４としては、例えば、フレキシブルプリント配線板が用いられている。但し、配線板７３、７４としては屈曲性を有するものであれば他の種類が用いられていてもよく、例えば、導線が被覆部によって被覆されたケーブル等が用いられていてもよい。
【０２５６】
配線板７３の一端側の部分は他の部分に対して折り返され、第１の挿通孔７２ｂを挿通されて背面板７２の内部に配置されている。配線板７４の一端側の部分は他の部分に対して折り返され、第２の挿通孔７２ｃを挿通されて背面板７２から外部に突出されている。
【０２５７】
背面板７２の内部にはメイン基板７５とコネクター基板７６が配置されている（図５９参照）。
【０２５８】
メイン基板７５は背面板７２の略中央部に配置され、メイン基板７５には後端部（上端部）に配線板７３の一端部が接続され前端部（下端部）に配線板７４の他端部が接続されている。配線板７４の一端部は接続コネクター７２ａに接続されている。
【０２５９】
配線板７３は、他端部がキーボード７０に接続され、他端部側から順に操作領域部６６、載置部６７、連結部６８及び立掛部６９の内部に配置され、一端側の部分が他の部分に対して折り返されて第２の挿通孔７２ｃを挿通されている。配線板７３は保護カバー６１の左右方向における中央部に対して稍右寄りに配置されている。
【０２６０】
尚、上記には、保護カバー６１の結合部の各例について説明したが、例えば、保護カバー６１をゴムバンド４３によって保持する場合に、ゴムバンド４３の一部を第１の折曲部６４の左右方向における中央部に差し込んで取り付けてゴムバンド４３のカバー部６３からの脱落を防止する構成とすることが可能である。
【０２６１】
この場合には、上記したように、背面板７２の第１の挿通孔７２ｂを左右方向における中央部に対して稍右寄りの位置に形成し、配線板７３を保護カバー６１の左右方向における中央部に対して稍右寄りに配置することにより、ゴムバンド４３の背面板７２に取り付けられた部分と配線板７３の干渉を回避することができる。
【０２６２】
コネクター基板７６は背面板７２の内部における右端部に配置され、接続コネクター７６ａを有している。接続コネクター７６ａは、例えば、充電用のコネクターであり、接続コネクター７６ａには図示しない充電用の端子が背面板７２の側方側から接続される。
【０２６３】
メイン基板７５とコネクター基板７６は接続線７７によって接続されている。
【０２６４】
カバー部６３の立掛部６９には上面（前面）に上方（前方）へ突出された案内突部７８、７８が左右に離隔して設けられている（図５２、図５３、図５６及び図５９参照）。案内突部７８、７８は滑り性の高い材料、例えば、樹脂材料によって形成されている。案内突部７８、７８は立掛部６９の後端部（上端部）に設けられ、突出方向へ行くに従って互いに近付くよう緩やかな曲面状に形成されている。
【０２６５】
背面板７２の後端部（上端部）には後方（上方）へ突出された保持突部７９、７９が左右に離隔して設けられている。保持突部７９は弾性変形可能な材料、例えば、ゴム材料によって形成されている。保持突部７９は後端部（上端部）における左右両側面にそれぞれ側方（外方）へ突出された係合突部７９ａ、７９ａが設けられている。保持突部７９には変形用孔７９ｂが形成され、変形用孔７９ｂにより係合突部７９ａ、７９ａが互いに近付く方向へ弾性変形され易くなっている。
【０２６６】
電子機器６２は、例えば、厚みの薄い横長の矩形状に形成され、バッテリーを有している。
【０２６７】
電子機器６２としては、例えば、タブレット端末が用いられている。タブレット端末は、その表示面にスタイラスペンや指によって操作を行うことにより、各種の情報の入力、情報の表示、表示される情報の変更等を行うことができるデバイスである。タブレット端末としては、例えば、電子手帳、コンピューター装置、電子辞書、電卓、ゲーム機器、通信装置、電子書籍等の各種の態様が存在する。
【０２６８】
電子機器６２はバッテリーからの電源の供給により動作される。尚、電子機器６２に外部電源（商用電源）から電源が供給されるようにすることも可能である。
【０２６９】
電子機器６２の前面は表示面６２ａとして形成されている。電子機器６２の表示面６２ａには、例えば、文字や画像や映像が表示される他、仮想キーボードの表示が可能とされ、また、キーボード７０又は仮想キーボードに対する操作によって入力された文字が表示される文字入力欄の表示が行われる。表示面６２ａに表示される仮想キーボードは、その操作キーの配列がキーボード７０の操作キー７０ａ、７０ａ、・・・の配列と同じにされている。
【０２７０】
また、表示面６２ａは使用者がスタイラスペンや指で所定の入力操作をすることが可能とされた操作面としても機能し、静電容量の変化を検知する静電式や圧力の変化を検知する感圧式等の方式によって動作が行われるようにされている。
【０２７１】
電子機器６２には左右両側面にそれぞれ被案内溝６２ｂ、６２ｂが形成されている。電子機器６２の背面には被保持部８０、８０が左右に離隔して設けられている（図６０参照）。
【０２７２】
電子機器６２は下端部に端子部８１が設けられ、端子部８１が背面板７２に設けられた接続端子部７２ａに接続されることにより、配線板７３、７４及びメイン基板７５を介してキーボード７０に接続される。
【０２７３】
被保持部８０には少なくとも下方に開口された挿入孔８０ａと左右に貫通された係合孔８０ｂ、８０ｂとが形成されている。係合孔８０ｂ、８０ｂは左右に離隔して位置され、その間に位置された挿入孔８０ａに連通されている。
【０２７４】
電子機器６２の内部には、情報処理装置２００の全体の制御を司るＣＰＵ（Central Processing Unit）等の制御部８２が内蔵されている（図６１参照）。制御部８２によってキーボード７０や仮想キーボードに対する操作に応じて入力された情報の処理や入力された情報に応じた表示面６２ａに対する表示等が行われる。
【０２７５】
尚、上記には、制御部８２が電子機器６２に内蔵された例を示したが、制御部８２が保護カバー６１に内蔵されている構成にすることも可能である（図６２参照）。
【０２７６】
［電子機器の保護カバーへの取付］
電子機器６２は保護カバー６１に以下のようにして取り付けられる（図６３乃至図６５参照）。
【０２７７】
電子機器６２は、先ず、カバー部６３に設けられた案内突部７８、７８の間に後方（上方）から挿入される（図６３参照）。電子機器６２が案内突部７８、７８の間に挿入されるときには、左右両側面にそれぞれ形成された被案内溝６２ｂ、６２ｂが案内突部７８、７８によって案内され、電子機器６２がカバー部６３及び背面板７２に対してスライドされる。
【０２７８】
次いで、電子機器６２はスライドされることにより、被保持部８０、８０の挿入孔８０ａ、８０ａにそれぞれ背面板７２に設けられた保持突部７９、７９が挿入される（図６４参照）。保持突部７９、７９が挿入孔８０ａ、８０ａに挿入されると、保持突部７９、７９は係合突部７９ａ、７９ａ、・・・が案内突部７８、７８の各内面に摺動され、係合突部７９ａ、７９ａ、・・・が互いに近付く方向へ弾性変形される。
【０２７９】
引き続き電子機器６２がスライドされると、係合突部７９ａ、７９ａ、・・・がそれぞれ係合孔８０ｂ、８０ｂ、・・・の側方に位置される（図６５参照）。係合突部７９ａ、７９ａ、・・・がそれぞれ係合孔８０ｂ、８０ｂ、・・・の側方に位置されると、保持突部７９、７９が弾性復帰されて係合突部７９ａ、７９ａ、・・・がそれぞれ係合孔８０ｂ、８０ｂ、・・・に挿入されて係合される。このとき、同時に、電子機器６２の端子部８１が背面板７２に設けられた接続端子部７２ａに接続される。上記のように係合突部７９ａ、７９ａ、・・・がそれぞれ係合孔８０ｂ、８０ｂ、・・・に係合されると共に端子部８１が接続端子部７２ａに接続されることにより、電子機器６２が保護カバー６１に取り付けられる。
【０２８０】
上記のように電子機器６２が保護カバー６１に取り付けられた状態においては、電子機器６２の保護カバー６１に対する浮き上がりが案内突部７８、７８によって防止され、電子機器６２の厚み方向に直交する方向における移動が保持突部７９、７９によって規制される。
【０２８１】
上記のように、カバー部６３に電子機器６２を案内する案内突部７８、７８が設けられることにより、端子部８１が接続端子部７２ａに確実に接続されて電子機器６２を背面板７２に安定した状態で取り付けることができる。
【０２８２】
また、背面板７２に保持突部７９、７９が設けられることにより、電子機器６２が背面板７２に取り付けられた状態において電子機器６２の背面板７２に対する位置ずれが生じず、電子機器６２を背面板７２に一層安定した状態で取り付けることができる。
【０２８３】
［保護カバーの形態］
保護カバー６１にあっては、以下のように折り曲げられて電子機器６２のスタンドとして用いられるスタンド形態（図５２及び図５３参照）と電子機器６２を収納して保護するカバー形態（図５４及び図５５参照）とが設定される。
【０２８４】
また、保護カバー６１にあっては、以下のように折り曲げられない状態の寝かせ形態（図６６参照）と保護カバー６１をカバー形態とは反対側に折り返す裏返し形態（図６７参照）との設定も可能である。
【０２８５】
スタンド形態、寝かせ形態及び裏返し形態は電子機器６２を使用する使用状態として設定され、カバー形態は電子機器６２を収納する非使用状態として設定される。
【０２８６】
尚、上記した第１の実施の形態における保護カバー１にあっても、スタンド形態とカバー形態の他に、寝かせ形態及び裏返し形態の設定を行うことが可能である。
【０２８７】
スタンド形態は第１の折曲部６４において載置部６７に対して連結部６８が折り曲げられると共に第２の折曲部６５において連結部６８に対して立掛部６９が折り曲げられて設定される（図５２及び図５３参照）。
【０２８８】
連結部６８は載置部６７に対してキーボード７０に近付く方向へ９０°以上の角度、例えば、１００°〜１５０°程度で折り曲げられ、立掛部６９は連結部６８に対してキーボード７０から遠去かる方向へ９０°未満の小さな角度、例えば、１０°〜６０°程度で折り曲げられる。
【０２８９】
このように各部が折り曲げられたスタンド形態において、電子機器６２が背面板７２を介して保護カバー６１の立掛部６９に立て掛けられる。電子機器６２が立掛部６９に立て掛けられた立て掛け状態においては、電子機器６２は表示面６２ａが上斜め前方を向いて傾斜された状態で背面板７２に受けられ、このとき背面板７２の下端部が載置面６７ａに接した状態で載置部６７に載置される。電子機器６２は下面が載置面６７ａに接触又は近接される。
【０２９０】
このとき背面板７２の下端部が載置用突部６７ｂに接した状態にされることにより、背面板７２の操作領域部６６側へのずれが防止され、電子機器６２の安定した保持状態を確保することができる。
【０２９１】
また、カバー部６３は、上記したように、摩擦係数の高い材料であるエラストマーによって形成されている。従って、背面板７２の下端部が載置面６７ａに接した状態において背面板７２が載置面６７ａに対してずれ難く、電子機器６２の位置を規制する専用の部分を設けることなく電子機器６２を安定した状態で保持することができる。
【０２９２】
スタンド形態においては、キーボード７０及び電子機器６２に対する各種の操作を行うことが可能である。
【０２９３】
一方、カバー形態は、電子機器６２の表示面６２ａが操作領域部６６及び載置部６７上に接した状態で、第１の折曲部６４において載置部６７に対して連結部６８が折り曲げられて設定される（図５４及び図５５参照）。連結部６８は載置部６７に対してキーボード７０に近付く方向へ約１８０°の角度で折り曲げられる。
【０２９４】
このようなカバー形態において、例えば、ゴムバンド４３によって保持され、電子機器６２が保護カバー６１に包まれた状態で内部に収納される。
【０２９５】
カバー形態においては、電子機器６２が保護カバー６１に保護された状態で携帯し運搬することが可能である。
【０２９６】
寝かせ形態は第１の折曲部６４も第２の折曲部６５も折り曲げられず保護カバー６１が平板状に形成されて設定される（図６６参照）。
【０２９７】
寝かせ形態においては、キーボード７０及び電子機器６２に対する各種の操作を行うことが可能である。
【０２９８】
裏返し形態は第１の折曲部６４において載置部６７に対して連結部６８がカバー形態の設定時とは反対方向に折り曲げられて設定される（図６７参照）。連結部６８は載置部６７に対して約１８０°の角度で折り曲げられる。
【０２９９】
裏返し形態においては、電子機器６２に対する各種の操作を行うことが可能であり、電子機器６２の表示面６２ａに表示される仮想キーボードに対する操作を行うことが可能である。
【０３００】
［操作用凸部と操作キーの大きさ］
以下に、カバー部６３に設けられた操作用凸部６６ａ、６６ａ、・・・とキーボード７０に設けられた操作キー７０ａ、７０ａ、・・・との大きさについて説明する（図６８参照）。
【０３０１】
操作用凸部６６ａ、６６ａ、・・・の内面側にはそれぞれ操作キー７０ａ、７０ａ、・・・が配置されており、両者とも略矩形状に形成され相似形にされている。操作用凸部６６ａと操作キー７０ａはカバー部６３の厚み方向において重ね合わされ、操作用凸部６６ａの内側に操作キー７０ａが位置されている。操作キー７０ａは使用者によって操作されたときに、行われた操作を検出する検出領域である。
【０３０２】
操作用凸部６６ａと操作キー７０ａにおいて、操作用凸部６６ａの縦横の大きさをそれぞれＨ１、Ｌ１とし、操作キー７０ａの縦横の大きさをそれぞれＨ２、Ｌ２とすると、Ｈ１＞Ｈ２及びＬ１＞Ｌ２とされている。Ｈ２はＨ１に対して、例えば、８０％〜９０％の大きさにされ、Ｌ２もＬ１に対して、例えば、８０％〜９０％の大きさにされている。
【０３０３】
このように操作キー７０ａの縦横の大きさをそれぞれ操作用凸部６６ａの縦横の大きさより一回り小さくすることにより、操作キー７０ａの大きさが操作用凸部６６ａに対して十分な大きさを有するため、操作キー７０ａが操作されたときに検出が行われないような誤操作が生じ難く、良好な操作性を確保することができる。
【０３０４】
また、操作キー７０ａは、一般に、感度の高い銀等の材料によって形成されるが、操作キー７０ａの大きさが必要最小限の大きさにされているため、その分、材料費を抑制することが可能になり、製造コストの低減を図ることができる。
【０３０５】
さらに、操作用凸部６６ａと操作キー７０ａを相似形に形成することにより、操作用凸部６６ａに対する操作位置によって誤操作の発生率が相違し難く、安定した操作状態を確保することができる。
【０３０６】
［情報処理装置の動作］
上記のように構成された情報処理装置２００において、操作領域部６６の上面側からの操作によってキーボード７０の操作キー７０ａ、７０ａ、・・・が操作されると、操作に応じた情報信号が配線板７３、７４及びメイン基板７５を介して電子機器６２に送出される。送出された情報信号は制御部８２によって制御されて所定の処理が行われ、電子機器６２の表示面６２ａに対する表示等の動作が実行される。
【０３０７】
上記のように、情報処理装置２００においては、キーボード７０の操作に応じた各動作が無線通信によらず配線板７３、７４等による有線通信によって行われる。
【０３０８】
情報処理装置２００には、背面板７２の背面側に検出スイッチ８３が設けられており（図６９及び図７０参照）、検出スイッチ８３のＯＮ／ＯＦＦによって背面板７２の状態に基づいて何れの形態にあるかどうかが以下のように判別される。
【０３０９】
電子機器６２の使用状態として設定される形態のうち、スタンド形態においては検出スイッチ８３が保護カバー６１に接触されておらず検出スイッチ８３はＯＦＦとされ（図６９参照）、制御部８２によってスタンド形態であることが判別される。
【０３１０】
一方、電子機器６２の使用状態として設定される形態のうち、寝かせ形態又は裏返し形態においては検出スイッチ８３が保護カバー６１に接触されており検出スイッチ８３はＯＮとされ（図７０参照）、制御部８２によって寝かせ形態又は裏返し形態であることが判別される。
【０３１１】
情報処理装置２００においては、検出スイッチ８３の状態に基づいて制御部８２によって寝かせ形態又は裏返し形態であることが判別されると、キーボード７０に対する入力が不可の状態とされ、検出スイッチ８３の状態に基づいて制御部８２によってスタンド形態であることが判別されると、キーボード７０に対する入力が可能な状態とされる。これらの制御の詳細は後述する。
【０３１２】
［その他］
上記した第２の実施の形態における情報処理装置２００においても、第１の実施の形態における情報処理装置１００と同様に、位置規制部の第１の例乃至第４の例（図１０乃至図１７）、結合部の第１の例乃至第９の例（図１８乃至図３２）、保護カバーの各変形例（図３３乃至図３５参照）、電子機器及び背面板の各変形例（図３６乃至図４１）、各制御動作（図４２乃至図５１）を適用することが可能である。
【０３１３】
［情報処理装置における各動作状態と制御動作］
以下に、情報処理装置２００において設定される各動作状態と制御動作について説明する（図７１乃至図７６参照）。
【０３１４】
尚、以下に示す各動作状態と制御動作については、第１の実施の形態における情報処理装置１００においても適用することが可能である。
【０３１５】
＜各動作状態＞
情報処理装置２００においては、使用状態として設定される各形態の動作状態として、以下に説明する状態１乃至状態８が設定される。状態１、状態２、状態５及び状態６は寝かせ形態又は裏返し形態における状態であり、状態３、状態４、状態７及び状態８はスタンド形態における状態である。
【０３１６】
状態１乃至状態８は、それぞれ三つの要素によって形成され、第１の要素は仮想キーボードの電子機器６２に対する表示／非表示の状態であり、第２の要素はキーボード７０に対する入力の可能／不可の状態であり、第３の要素は後述する強制入力キーによるキーボード７０に対する入力の有効／無効の状態である。
【０３１７】
第１の要素である仮想キーボードの電子機器６２に対する表示／非表示の状態は、使用者による電子機器６２に対する操作によって行われ、電子機器６２に対してそれぞれ所定の操作を行うことにより、電子機器６２の表示面６２ａに対する仮想キーボードの表示／非表示の設定が行われる。
【０３１８】
第２の要素であるキーボード７０に対する入力の可能／不可の状態は、上記した背面板７２の背面側に設けられた検出スイッチ８３の状態に基づいて制御部８２によって寝かせ形態又は裏返し形態かスタンド形態であることが判別されることにより行われる。寝かせ形態又は裏返し形態であることが判別されるとキーボード７０に対する入力が不可とされ、スタンド形態であることが判別されるとキーボード７０に対する入力が可能とされる。
【０３１９】
第３の要素である強制入力キーによるキーボード７０に対する入力の有効／無効状態は、使用者によって強制入力キーが操作されることにより行われる。強制入力キーとしては、例えば、二つが設定されており、例えば、キーボード７０におけるファンクションキー（Ｆｎ）とエンターキー（Ｅｎｔｅｒ）の同時操作が第１の強制入力キーとして設定され、キーボード７０におけるファンクションキー（Ｆｎ）とタブキー（Ｔａｂ）の同時操作が第２の強制入力キーとして設定されている。第１の強制入力キーが操作されると検出スイッチ８３のＯＮ／ＯＦＦの状態に拘わらずキーボード７０に対する入力が有効とされると共に仮想キーボードが電子機器６２の表示面６２ａに非表示にされ、第２の強制入力キーが操作されるとキーボード７０に対する入力が無効とされると共に仮想キーボードが電子機器６２の表示面６２ａに表示される。
【０３２０】
状態１、状態３、状態５又は状態７は第１の要素である仮想キーボードの表示が行われている状態であり、状態２、状態４、状態６又は状態８は第１の要素である仮想キーボードの表示が行われていない状態である（図７１乃至図７５参照）。
【０３２１】
状態１、状態２、状態５又は状態６は第２の要素であるキーボード７０に対する入力が不可とされている状態であり、状態３、状態４、状態７又は状態８は第２の要素であるキーボード７０に対する入力が可能とされている状態である。
【０３２２】
状態３、状態４、状態５又は状態６は第３の要素である第１の強制入力キーが操作されてキーボード７０に対する入力が有効とされている状態であり、状態１、状態２、状態７又は状態８は第３の要素である第２の強制入力キーが操作されてキーボード７０に対する入力が無効とされている状態である。
【０３２３】
状態１は、使用者の操作により仮想キーボードの表示が行われており、検出スイッチ８３によりキーボード７０に対する入力が不可とされており、強制入力キーによりキーボード７０に対する入力が無効とされている状態である。従って、状態１においては、仮想キーボードに対する入力を行うことができるが、キーボード７０に対する入力を行うことができない。
【０３２４】
状態２は、仮想キーボードの表示が行われておらず、検出スイッチ８３によりキーボード７０に対する入力が不可とされており、強制入力キーによりキーボード７０に対する入力が無効とされている状態である。従って、状態２においては、仮想キーボードに対する入力を行うことができず、また、キーボード７０に対する入力も行うことができない。
【０３２５】
状態３は、使用者の操作により仮想キーボードの表示が行われており、検出スイッチ８３によりキーボード７０に対する入力が可能とされており、強制入力キーによりキーボード７０に対する入力が可能とされている状態である。従って、状態３においては、仮想キーボードに対する入力を行うことができ、また、キーボード７０に対する入力を行うこともできる。
【０３２６】
状態４は、仮想キーボードの表示が行われておらず、検出スイッチ８３によりキーボード７０に対する入力が可能とされており、強制入力キーによりキーボード７０に対する入力が有効とされている状態である。従って、状態４においては、仮想キーボードに対する入力を行うことができないが、キーボード７０に対する入力を行うことができる。
【０３２７】
状態５は、使用者の操作により仮想キーボードの表示が行われており、検出スイッチ８３によりキーボード７０に対する入力が不可とされており、強制入力キーによりキーボード７０に対する入力が有効とされている状態である。従って、状態５においては、仮想キーボードに対する入力を行うことができ、また、検出スイッチ８３によりキーボード７０に対する入力が不可とされているが強制入力キーによりキーボード７０に対する入力が強制的に有効とされているため、キーボード７０に対する入力を行うこともできる。
【０３２８】
状態６は、仮想キーボードの表示が行われておらず、検出スイッチ８３によりキーボード７０に対する入力が不可とされており、強制入力キーによりキーボード７０に対する入力が有効とされている状態である。従って、状態６においては、仮想キーボードに対する入力を行うことができず、また、検出スイッチ８３によりキーボード７０に対する入力が不可とされているが強制入力キーによりキーボード７０に対する入力が強制的に有効とされているため、キーボード７０に対する入力を行うことができる。
【０３２９】
状態７は、使用者の操作により仮想キーボードの表示が行われており、検出スイッチ８３によりキーボード７０に対する入力が可能とされており、強制入力キーによりキーボード７０に対する入力が無効とされている状態である。従って、状態７においては、仮想キーボードに対する入力を行うことができ、また、検出スイッチ８３によりキーボード７０に対する入力が可能とされているが強制入力キーによりキーボード７０に対する入力が無効とされているため、キーボード７０に対する入力を行うことができない。
【０３３０】
状態８は、仮想キーボードの表示が行われておらず、検出スイッチ８３によりキーボード７０に対する入力が可能とされており、強制入力キーによりキーボード７０に対する入力が無効とされている状態である。従って、状態８においては、仮想キーボードに対する入力を行うことができず、また、検出スイッチ８３によりキーボード７０に対する入力が可能とされているが強制入力キーによりキーボード７０に対する入力が無効とされているため、キーボード７０に対する入力を行うこともできない。
【０３３１】
＜各状態間の遷移＞
以下に、上記した各状態間の遷移について説明する（図７１乃至図７５参照）。
【０３３２】
先ず、使用者によって第１の強制入力キーが操作されたときの状態の遷移について説明する（図７１参照）。
【０３３３】
状態１、状態２又は状態５のときに使用者によって第１の強制入力キーが操作されると、キーボード７０に対する入力を有効とする信号が送出されると共に仮想キーボードを非表示にする信号が送出されて常に状態６に遷移する（図７１参照）。尚、状態６のときに使用者によって第１の強制入力キーが操作された場合には状態６のままとされる。
【０３３４】
また、状態３、状態７又は状態８のときに使用者によって第１の強制入力キーが操作されると、キーボード７０に対する入力を有効とする信号が送出されると共に仮想キーボードを非表示にする信号が送出されて常に状態４に遷移する。尚、状態４のときに使用者によって第１の強制入力キーが操作された場合には状態４のままとされる。
【０３３５】
次に、使用者によって第２の強制入力キーが操作されたときの状態の遷移について説明する（図７２参照）。
【０３３６】
状態２、状態５又は状態６のときに使用者によって第２の強制入力キーが操作されると、キーボード７０に対する入力を無効とする信号が送出されると共に仮想キーボードを表示する信号が送出されて常に状態１に遷移する。尚、状態１のときに使用者によって第２の強制入力キーが操作された場合には状態１のままとされる。
【０３３７】
また、状態３、状態４又は状態８のときに使用者によって第２の強制入力キーが操作されると、キーボード７０に対する入力を無効とする信号が送出されると共に仮想キーボードを表示する信号が送出されて常に状態７に遷移する。尚、状態７のときに使用者によって第２の強制入力キーが操作された場合には状態７のままとされる。
【０３３８】
次いで、使用者によって電子機器６２上において仮想キーボードの表示／非表示の設定操作が行われたときの状態の遷移について説明する（図７３参照）。
【０３３９】
状態１のときに使用者によって仮想キーボードを非表示とする設定操作が行われると、仮想キーボードを非表示とする信号が送出されて状態２に遷移し、逆に、状態２のときに使用者によって仮想キーボードを表示する設定操作が行われると、仮想キーボードを表示する信号が送出されて状態１に遷移する。
【０３４０】
状態３のときに使用者によって仮想キーボードを非表示とする設定操作が行われると、仮想キーボードを非表示とする信号が送出されて状態４に遷移し、逆に、状態４のときに使用者によって仮想キーボードを表示する設定操作が行われると、仮想キーボードを表示する信号が送出されて状態３に遷移する。
【０３４１】
状態５のときに使用者によって仮想キーボードを非表示とする設定操作が行われると、仮想キーボードを非表示とする信号が送出されて状態６に遷移し、逆に、状態６のときに使用者によって仮想キーボードを表示する設定操作が行われると、仮想キーボードを表示する信号が送出されて状態５に遷移する。
【０３４２】
状態７のときに使用者によって仮想キーボードを非表示とする設定操作が行われると、仮想キーボードを非表示とする信号が送出されて状態８に遷移し、逆に、状態８のときに使用者によって仮想キーボードを表示する設定操作が行われると、仮想キーボードを表示する信号が送出されて状態７に遷移する。
【０３４３】
続いて、使用者によって寝かせ形態又は裏返し形態からスタンド形態に形態が変更されるときの状態の遷移について説明する（図７４参照）。
【０３４４】
状態１、状態２、状態５又は状態６のとき、即ち、寝かせ形態又は裏返し形態が設定されている状態から使用者によってスタンド形態に設定が変更されると、検出スイッチ８３の状態に基づいてキーボード７０に対する入力が可能とされる。同時に、仮想キーボードを非表示とする信号が送出されて常に状態４に遷移する。
【０３４５】
次に、使用者によってスタンド形態から寝かせ形態又は裏返し形態に形態が変更されるときの状態の遷移について説明する（図７５参照）。
【０３４６】
状態３、状態４、状態７又は状態８のとき、即ち、スタンド形態が設定されている状態から使用者によって寝かせ形態又は裏返し形態に設定が変更されると、検出スイッチ８３の状態に基づいてキーボード７０に対する入力が不可とされる。同時に、仮想キーボードを表示する信号が送出されて常に状態１に遷移する。
【０３４７】
尚、上記には、検出スイッチ８３の状態に基づいてキーボード７０に対する入力を可能／不可とする例を示したが、例えば、加速度センサー又は振動センサーを設け、これらの加速度センサー又は振動センサーの検出結果に基づいてキーボード７０に対する入力を可能／不可とするように構成することもできる。
【０３４８】
＜制御の流れ＞
以下に、上記した各状態遷移に関する制御部８２によって行われる制御の流れについて説明する（図７６参照）。
【０３４９】
（Ｔ１）電源が投入されると、制御が開始され（Ｔ２）に移行する。
【０３５０】
（Ｔ２）保護カバー６１の形態が検出スイッチ８３のＯＮ／ＯＦＦの状態に基づいて検出される。検出スイッチ８３がＯＮにされており寝かせ形態又は裏返し形態であることが判別されると（Ｔ３）に移行し、検出スイッチ８３がＯＦＦにされておりスタンド形態であることが判別されると（Ｔ４）に移行する。
【０３５１】
（Ｔ３）状態１が設定されて使用状態とされる。
【０３５２】
（Ｔ４）状態４が設定されて使用状態とされる。
【０３５３】
（Ｔ５）使用状態において、保護カバー６１の形態が変化されたか否かが検出スイッチ８３のＯＮ／ＯＦＦの切替状態に基づいて検出される。保護カバー６１の形態が変化されたことが検出された場合には（Ｔ２）に移行し、保護カバー６１の形態が変化されたことが検出されなかった場合には（Ｔ６）に移行する。
【０３５４】
（Ｔ６）第１の強制入力キーが操作されたか否かが検出される。第１の強制入力キーが操作されたことが検出された場合には（Ｔ７）に移行し、第１の強制入力キーが操作されたことが検出されなかった場合には（Ｔ９）に移行する。
【０３５５】
（Ｔ７）保護カバー６１の形態が検出スイッチ８３のＯＮ／ＯＦＦの状態に基づいて検出される。検出スイッチ８３がＯＮにされており寝かせ形態又は裏返し形態であることが判別されると（Ｔ８）に移行し、検出スイッチ８３がＯＦＦにされておりスタンド形態であることが判別されると（Ｔ４）に移行する。
【０３５６】
（Ｔ８）状態６が設定されて使用状態とされる。
【０３５７】
（Ｔ９）第２の強制入力キーが操作されたか否かが検出される。第２の強制入力キーが操作されたことが検出された場合には（Ｔ１０）に移行し、第２の強制入力キーが操作されたことが検出されなかった場合には（Ｔ１２）に移行する。  （Ｔ１０）保護カバー６１の形態が検出スイッチ８３のＯＮ／ＯＦＦの状態に基づいて検出される。検出スイッチ８３がＯＮにされており寝かせ形態又は裏返し形態であることが判別されると（Ｔ３）に移行し、検出スイッチ８３がＯＦＦにされておりスタンド形態であることが判別されると（Ｔ１１）に移行する。
【０３５８】
（Ｔ１１）状態７が設定されて使用状態とされる。
【０３５９】
（Ｔ１２）保護カバー６１の形態が検出スイッチ８３のＯＮ／ＯＦＦの状態に基づいて検出される。検出スイッチ８３がＯＮにされており寝かせ形態又は裏返し形態であることが判別されると（Ｔ１３）に移行し、検出スイッチ８３がＯＦＦにされておりスタンド形態であることが判別されると（Ｔ１６）に移行する。
【０３６０】
（Ｔ１３）キーボード７０に対する入力が有効か無効かが検出される。キーボード７０に対する入力が有効にされていることが検出されると、仮想キーボードの表示／非表示の状態に応じて（Ｔ１４）又は（Ｔ８）に移行し、キーボード７０に対する入力が無効にされていることが検出されると、仮想キーボードの表示／非表示の状態に応じて（Ｔ３）又は（Ｔ１５）に移行する。
【０３６１】
（Ｔ１４）状態５が設定されて使用状態とされる。
【０３６２】
（Ｔ１５）状態２が設定されて使用状態とされる。
【０３６３】
（Ｔ１６）キーボード７０に対する入力が有効か無効かが検出される。キーボード７０に対する入力が有効にされていることが検出されると、仮想キーボードの表示／非表示の状態に応じて（Ｔ１７）又は（Ｔ４）に移行し、キーボード７０に対する入力が無効にされていることが検出されると、仮想キーボードの表示／非表示の状態に応じて（Ｔ１１）又は（Ｔ１８）に移行する。
【０３６４】
（Ｔ１７）状態３が設定されて使用状態とされる。
【０３６５】
（Ｔ１８）状態８が設定されて使用状態とされる。
【０３６６】
上記したように、保護カバー６１にあっては、検出スイッチ８３の状態に応じて複数の異なる形態の種類が判別されるため、判別結果に応じて各種の制御を行うことができ、使い勝手の向上を図ることができる。
【０３６７】
また、複数の異なる形態の種類の判別に応じてキーボード７０に対する入力の可否が決定されるようにしているため、使用形態に応じてキーボード７０に対する入力の可否が行われ、使用状況に応じた適正な入力操作状態を確保することができる。
【０３６８】
さらに、キーボード７０に対する入力操作の可否に拘わらず、強制入力キーによってキーボード７０に対する入力操作の可否を決定することができるため、使用者の意図に応じた良好な操作性を確保することができる。
【０３６９】
さらにまた、検出スイッチ８３の状態が変化されたことが検出されたときに仮想キーボードの表示／非表示の制御が行われるため、使用状況に応じた適正な入力操作状態を確保することができる。
【０３７０】
加えて、強制入力キーによって仮想キーボードの表示／非表示の制御が行われるため、使用者の意図に応じた良好な操作性を確保することができる。
【０３７１】
［まとめ］
以上に記載した通り、保護カバー１は電子機器２を収納して保護するカバー形態の設定が可能とされ、タッチパッド１２及びキーボード１３の操作に応じた各動作が無線通信によらず配線板１６による有線通信によって行われる。
【０３７２】
従って、保護カバー１の内部にタッチパッド１２及びキーボード１３の他に無線通信用の回路基板やバッテリーを配置する必要がなく、構造の簡素化及び薄型化を図った上で使い勝手の向上を図ることができる。
【０３７３】
また、保護カバー１は電子機器２のスタンドとして用いられるスタンド形態の設定が可能とされている。
【０３７４】
従って、保護カバー１の用途が多く、保護カバー１の利便性の向上を図ることができる。
【０３７５】
また、保護カバー１に電子機器２が立て掛けられる立掛部１１が設けられ、立掛部１１に電子機器２を受ける背面板１５が取り付けられている。
【０３７６】
従って、電子機器２の立て掛け状態の安定化を図ることができる。
【０３７７】
さらに、背面板１５に電子機器２に接続される接続端子部１５ａが設けられ、配線板１６の一部が背面板１５の内部に配置され配線板１６の一端部が接続端子部１５ａに接続されている。
【０３７８】
従って、剛性の高い背面板１５に設けられた接続端子部１５ａに配線板１６が接続されるため、電子機器２の安定した立て掛け状態が確保されており配線板１６の電子機器２との安定した接続状態を確保することができる。
【０３７９】
さらにまた、異なる種類の入力操作部として機能するタッチパッド１２とキーボード１３の間に第１の折曲部４が設けられている。
【０３８０】
従って、保護カバー１がカバー形態に設定されたときに第１の折曲部４が折曲可能であるため、操作性の向上を確保した上でカバー形態における小型化を図ることができる。
【０３８１】
また、保護カバー６１は電子機器６２を収納して保護するカバー形態の設定が可能とされ、キーボード７０の操作に応じた各動作が無線通信によらず配線板７３、７４等による有線通信によって行われる。
【０３８２】
従って、保護カバー６１の内部にキーボード７０の他に無線通信用の回路基板やバッテリーを配置する必要がなく、構造の簡素化及び薄型化を図った上で使い勝手の向上を図ることができる。
【０３８３】
また、保護カバー６１は電子機器６２のスタンドとして用いられるスタンド形態の設定が可能とされている。
【０３８４】
従って、保護カバー６１の用途が多く、保護カバー６１の利便性の向上を図ることができる。
【０３８５】
また、保護カバー６１に電子機器６２が立て掛けられる立掛部６９が設けられ、立掛部６９に電子機器６２を受ける背面板７２が取り付けられている。
【０３８６】
従って、電子機器６２の立て掛け状態の安定化を図ることができる。
【０３８７】
さらに、背面板７２に、電子機器６２に接続される接続端子部７２ａが設けられ、配線板７３の一部が背面板７２の内部に配置され配線板７４の一端部が接続端子部７２ａに接続されている。
【０３８８】
従って、剛性の高い背面板７２に設けられた接続端子部７２ａに配線板７４が接続されるため、電子機器６２の安定した立て掛け状態が確保されており配線板７３、７４の電子機器６２との安定した接続状態を確保することができる。
【０３８９】
［本技術］
本技術は、以下のような構成にすることもできる。
【０３９０】
（１）電子機器に対する入力操作が行われる入力操作部と、前記入力操作部を内部に配置したカバー部とを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされる保護カバー。
【０３９１】
（２）前記折曲部において前記所定の形状と異なる形状に折り曲げられることにより、前記板部の一部が前記電子機器を立て掛け可能な立掛部として機能し、前記電子機器の前記立掛部への立て掛けが可能なスタンド形態の設定が行われるようにした前記（１）に記載の保護カバー。
【０３９２】
（３）前記立掛部に、前記電子機器が立て掛けられたときに前記電子機器を受ける背面板が取り付けられた前記（２）に記載の保護カバー。
【０３９３】
（４）前記接続端子部が前記背面板の表面に設けられ、前記配線部の一部が前記背面板の内部に配置された前記（３）に記載の保護カバー。
【０３９４】
（５）前記入力操作部として第１の入力操作部と第２の入力操作部が設けられ、前記第１の入力操作部と前記第２の入力操作部の間に前記折曲部が設けられた前記（１）から前記（４）の何れかに記載の保護カバー。
【０３９５】
（６）前記カバー部の一端部と他端部にそれぞれ結合部が設けられ、前記カバー形態が設定されたときに前記結合部同士が結合されて前記電子機器の全体が覆われるようにした前記（１）から前記（５）の何れかに記載の保護カバー。
【０３９６】
（７）少なくとも一つの前記板部は、前記電子機器が前記立掛部に立て掛けられたときに前記電子機器の側部が接触又は近接される載置面と、前記電子機器の位置を規制する位置規制部とを有する載置部として機能する前記（２）から前記（６）の何れかに記載の保護カバー。
【０３９７】
（８）少なくとも一つの前記板部は、前記入力操作部を有する操作領域部として機能し、前記位置規制部を前記載置部と前記操作領域部が並ぶ方向において複数離隔して設けた前記（７）に記載の保護カバー。
【０３９８】
（９）前記位置規制部として前記載置面から突出された位置規制突部を設けた前記（７）に記載の保護カバー。
【０３９９】
（１０）前記位置規制部として前記載置面に開口する位置規制凹部を形成した前記（７）に記載の保護カバー。
【０４００】
（１１）前記位置規制凹部を前記配線部が配置された部分以外の部分に形成した前記（１０）に記載の保護カバー。
【０４０１】
（１２）前記カバー部がエラストマーによって形成された前記（１）から前記（１１）の何れかに記載の保護カバー。
【０４０２】
（１３）前記位置規制部として位置規制用マグネットを設けた前記（７）に記載の保護カバー。
【０４０３】
（１４）前記カバー部に、前記カバー形態が設定されるときに前記板部と前記電子機器の間に位置される接触防止部とが設けられた前記（１）から前記（１３）の何れかに記載の保護カバー。
【０４０４】
（１５）前記カバー部に前記電子機器が立て掛けられる立掛部が設けられ、前記入力操作部に操作キーが設けられ、前記板部における前記操作キーに対向する部分に前記操作キー側と反対側に開口された操作用凹部が形成された前記（１）から前記（１４）の何れかに記載の保護カバー。
【０４０５】
（１６）前記カバー部に前記電子機器が立て掛けられる立掛部が設けられ、前記立掛部に、前記電子機器が立て掛けられたときに前記電子機器を受ける背面板が取り付けられ、前記電子機器が前記背面板に、前記背面板に沿って回動自在かつ移動自在に支持された前記（１）から前記（１５）の何れかに記載の保護カバー。
【０４０６】
（１７）表示面を有する電子機器と、前記電子機器に対する入力操作が行われる入力操作部と前記入力操作部を内部に配置したカバー部とを有する保護カバーとを備え、前記カバー部は、少なくとも一つの折曲部と、前記折曲部に接続される少なくとも二つ以上の板部とを有し、前記電子機器が接続される接続端子部が設けられ、前記カバー部の内部に前記入力操作部と前記接続端子部を接続し前記折曲部における折曲に伴って屈曲される配線部が配置され、前記折曲部において所定の形状に折り曲げられて前記電子機器を覆うカバー形態の設定が可能とされる情報処理装置。
【０４０７】
（１８）電子機器に対する入力操作が行われる入力操作部と、前記入力操作部を内部に配置したカバー部とを備え、前記カバー部は、少なくとも一つの折曲部と、前記折曲部に接続される少なくとも二つ以上の板部とを有し、前記電子機器が接続される接続端子部が設けられ、前記カバー部の一部に前記電子機器を受ける背面板が取り付けられ、前記背面板に検出スイッチが設けられ、前記折曲部における折曲状態に応じて複数の異なる形態が設定され、前記検出スイッチのオンオフの状態に応じて前記複数の異なる形態の種類が判別されるようにした保護カバー。
【０４０８】
（１９）前記複数の異なる形態の種類の判別に応じて前記入力操作部に対する入力の可否が決定されるようにした前記（１８）に記載の保護カバー。
【０４０９】
（２０）前記複数の異なる形態の種類の判別に応じた前記入力操作部に対する入力の可否の決定に拘わらず、前記入力操作部に対する入力の可否の決定が可能な強制入力キーの操作が可能とされた前記（１９）に記載の保護カバー。
【０４１０】
（２１）前記電子機器の表示面に前記入力操作部と同じ入力機能を有する仮想入力操作部の表示が可能とされ、前記検出スイッチのオンオフの状態が変化されたことが検出されたときに前記表示面に対して常に前記仮想入力操作部の表示が行われるようにした前記（１８）から前記（２０）の何れかに記載の保護カバー。
【０４１１】
（２２）前記電子機器の表示面に前記入力操作部と同じ入力機能を有する仮想入力操作部の表示が可能とされ、前記検出スイッチのオンオフの状態が変化されたことが検出されたときに前記表示面に対して常に前記仮想入力操作部が非表示とされるようにした前記（１８）から前記（２０）の何れかに記載の保護カバー。
【０４１２】
（２３）前記電子機器の表示面に前記入力操作部と同じ入力機能を有する仮想入力操作部の表示が可能とされ、前記強制入力キーの操作が行われたときに前記表示面に対して常に前記仮想入力操作部の表示が行われるようにした前記（１８）から前記（２２）の何れかに記載の保護カバー。
【０４１３】
（２４）前記電子機器の表示面に前記入力操作部と同じ入力機能を有する仮想入力操作部の表示が可能とされ、前記強制入力キーの操作が行われたときに前記表示面に対して常に前記仮想入力操作部が非表示とされるようにした前記（１８）から前記（２２）の何れかに記載の保護カバー。
【０４１４】
（２５）前記カバー部に対してスライドされて前記電子機器が前記背面板に取り付けられ、前記カバー部に前記電子機器がスライドされるときに前記電子機器を案内する案内突部が設けられた前記（１８）から前記（２４）の何れかに記載の保護カバー。
【０４１５】
（２６）前記背面板に前記電子機器を保持する保持突部が設けられた前記（１８）から前記（２５）の何れかに記載の保護カバー。
【０４１６】
（２７）前記カバー部に操作用凸部が設けられ、前記カバー部の内部における前記操作用凸部の外形の内側に位置された操作キーが設けられた前記（１８）から前記（２６）の何れかに記載の保護カバー。
【０４１７】
（２８）前記操作用凸部と前記操作キーが相似形にされた前記（２７）に記載の保護カバー。
【０４１８】
（２９）表示面を有する電子機器と、前記電子機器に対する入力操作が行われる入力操作部と前記入力操作部を内部に配置したカバー部とを有する保護カバーとを備え、前記カバー部は、少なくとも一つの折曲部と、前記折曲部に接続される少なくとも二つ以上の板部とを有し、前記電子機器が接続される接続端子部が設けられ、前記カバー部の一部に前記電子機器を受ける背面板が取り付けられ、前記背面板に検出スイッチが設けられ、前記折曲部における折曲状態に応じて複数の異なる形態が設定され、前記検出スイッチのオンオフの状態に応じて前記複数の異なる形態の種類が判別されるようにした情報処理装置。
【０４１９】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０４２０】
【図１】図２乃至図７６と共に本技術の第１の実施の形態における最良の形態を示すものであり、本図は、保護カバーがスタンド形態にされている状態を示す情報処理装置の斜視図である。
【図２】保護カバーがスタンド形態にされている状態を示す情報処理装置の側面図である。
【図３】保護カバーがカバー形態にされている状態を示す情報処理装置の斜視図である。
【図４】保護カバーがカバー形態にされている状態を示す情報処理装置の側面図である。
【図５】カバーを示す概略平面図である。
【図６】カバーを示す概略側面図である。
【図７】カバーに形成された操作用凹部を示す概略拡大断面図である。
【図８】情報処理装置の構成を示すブロック図である。
【図９】情報処理装置の別の構成を示すブロック図である。
【図１０】図１１乃至図１７と共に位置規制部の例を示すものであり、本図は、第１の例を示す拡大断面図である。
【図１１】第２の例を示す拡大断面図である。
【図１２】第２の例を示す拡大斜視図である。
【図１３】第２の例における別の例を示す拡大断面図である。
【図１４】第２の例における別の例を前方から見た状態で示す拡大断面図である。
【図１５】第３の例を示す拡大断面図である。
【図１６】第４の例を示す側面図である。
【図１７】第４の例において紐部材が折り畳まれた状態を示す側面図である。
【図１８】図１９乃至図３２と共に結合部の例を示すものであり、本図は、第１の例を示す斜視図である。
【図１９】第１の例において図１８に対して結合位置が変更された例を示す斜視図である。
【図２０】第１の例において図１８及び図１９に対して結合位置が変更された例を示す斜視図である。
【図２１】第２の例を示す斜視図である。
【図２２】第３の例を示す斜視図である。
【図２３】第４の例を示す斜視図である。
【図２４】第５の例において結合部同士が結合される前の状態を示す斜視図である。
【図２５】第５の例において結合部同士が結合された状態を示す斜視図である。
【図２６】第６の例において結合部同士が結合される前の状態を示す斜視図である。
【図２７】第６の例において結合部同士が結合された状態を示す斜視図である。
【図２８】第７の例を示す側面図である。
【図２９】第８の例を示す側面図である。
【図３０】第９の例において結合部同士が結合される前の状態を示す側面図である。
【図３１】第９の例において結合部同士が結合された状態を示す側面図である。
【図３２】その他の例を示す斜視図である。
【図３３】図３４及び図３５と共に保護カバーの変形例を示すものであり、本図は、スタンド形態にされている状態を示す斜視図である。
【図３４】接触防止部によって第２の操作領域部が閉塞された状態を示す斜視図である。
【図３５】カバー形態にされている状態を示す斜視図である。
【図３６】図３７及び図３８と共に電子機器と背面板の第１の変形例を示すものであり、本図は、一部を断面にして示す側面図である。
【図３７】電子機器が横長にされている状態を示す斜視図である。
【図３８】電子機器が縦長にされている状態を示す斜視図である。
【図３９】図４０及び図４１と共に電子機器と背面板の第２の変形例を示すものであり、本図は、一部を断面にして示す側面図である。
【図４０】電子機器が横長にされている状態を示す正面図である。
【図４１】電子機器が縦長にされている状態を示す正面図である。
【図４２】図４３乃至図５１と共に制御動作の各例を示すものであり、本図は、第１の例を示す情報処理装置の斜視図である。
【図４３】第１の例を示すフローチャート図である。
【図４４】キーボードの一例を示す平面図である。
【図４５】第２の例において電子機器が傾斜された状態と電子機器の表示面に表示された仮想キーボードとを示す概念図である。
【図４６】第２の例において電子機器が図４５とは異なる角度で傾斜された状態と電子機器の表示面に表示された仮想キーボードとを示す概念図である。
【図４７】第２の例において電子機器の位置を検出する構成を示す情報処理装置の斜視図である。
【図４８】第２の例において電子機器によってキーボードの第１行目が遮蔽された状態と電子機器の表示面に表示された仮想キーボードとを示す概念図である。
【図４９】第２の例において電子機器によってキーボードの第１行目と第２行目が遮蔽された状態と電子機器の表示面に表示された仮想キーボードとを示す概念図である。
【図５０】第３の例において電子機器の表示面に文字入力欄が表示されている状態と文字入力欄に対する選択が行われて仮想キーボードが表示された状態とを示す概念図である。
【図５１】第３の例において電子機器の表示面に文字入力欄が表示されている状態と文字入力欄に対する選択が行われたが仮想キーボードが表示されない状態とを示す概念図である。
【図５２】図５３乃至図７６と共に本技術の第２の実施の形態における最良の形態を示すものであり、本図は、保護カバーがスタンド形態にされている状態を示す情報処理装置の斜視図である。
【図５３】保護カバーがスタンド形態にされている状態を示す情報処理装置の側面図である。
【図５４】保護カバーがカバー形態にされている状態を示す情報処理装置の斜視図である。
【図５５】保護カバーがカバー形態にされている状態を示す情報処理装置の側面図である。
【図５６】カバーを示す概略平面図である。
【図５７】カバーを示す概略断面図である。
【図５８】カバーに形成された操作用凸部を示す概略拡大断面図である。
【図５９】背面板とその内部構造を示す概念図である。
【図６０】電子機器の概念図である。
【図６１】情報処理装置の構成を示すブロック図である。
【図６２】情報処理装置の別の構成を示すブロック図である。
【図６３】図６４及び図６５と共に電子機器が背面板に取り付けられる手順を示すものであり、本図は、電子機器が案内突部に案内されている状態を示す概念図である。
【図６４】電子機器が保持突部に保持される直前の状態を示す概念図である。
【図６５】電子機器が保持突部に保持されて背面板に取り付けられた状態を示す概念図である。
【図６６】保護カバーが寝かせ形態にされている状態を示す情報処理装置の斜視図である。
【図６７】保護カバーが裏返し形態にされている状態を示す情報処理装置の斜視図である。
【図６８】操作用凸部と操作キーの大きさを比較して示す概念図である。
【図６９】検出スイッチがＯＦＦにされている状態を示す概略側面図である。
【図７０】検出スイッチがＯＮにされている状態を示す概略側面図である。
【図７１】図７２乃至図７５と共に保護カバーの各状態間の遷移を示すものであり、本図は、使用者によって第１の強制入力キーが操作されたときの状態の遷移を示す図である。
【図７２】使用者によって第２の強制入力キーが操作されたときの状態の遷移を示す図である。
【図７３】使用者によって仮想キーボードの表示／非表示の設定操作が行われたときの状態の遷移を示す図である。
【図７４】使用者によって寝かせ形態又は裏返し形態からスタンド形態に形態が変更されるときの状態の遷移を示す図である。
【図７５】使用者によってスタンド形態から寝かせ形態又は裏返し形態に形態が変更されるときの状態の遷移を示す図である。
【図７６】各状態遷移に関する制御部によって行われる制御の流れを示すフローチャート図である。
【符号の説明】
【０４２１】
１００…情報処理装置、１…保護カバー、２…電子機器、２ａ…表示面、３…カバー部、４…第１の折曲部、５…第２の折曲部、６…第３の折曲部、７…第１の操作領域部、７ａ…操作用凹部、８…第２の操作領域部、８ａ…操作用凹部、９…載置部、９ａ…載置面、１１…立掛部、１２…タッチパッド（第１の入力操作部）、１３…キーボード（第２の入力操作部）、１３ａ…操作キー、１５…背面板、１５ａ…接続端子部、１６…配線板、１８…位置規制突部、１９…位置規制凹部、１９Ａ…位置規制凹部、２１…位置規制用マグネット、２３…マグネット（結合部）、２４…磁性部材（結合部）、２５…留め具（結合部）、２６…紐（結合部）、２７…留め具（結合部）、２８…エレメント（結合部）、２９…スライダー（結合部）、３０…エレメント（結合部）、３１…留め釦（結合部）、３２…スリット（結合部）、３３…スリット（結合部）、３４…係合片（結合部）、３５…係合片（結合部）、３６…スリット（結合部）、３７…係合突部（結合部）、３８…係合突部（結合部）、３９…突部（結合部）、４０…凹部（結合部）、４１…柔軟部（結合部）、４２…バネ部（結合部）、１Ａ…保護カバー、４５…接触防止部、４７…第４の折曲部、２Ａ…電子機器、１５Ａ…背面板、２Ｂ…電子機器、１５Ｂ…背面板、２００…情報処理装置、６１…保護カバー、６２…電子機器、６２ａ…表示面、６３…カバー部、６４…第１の折曲部、６５…第２の折曲部、６６…操作領域部、６６ａ…操作用凸部、６７…載置部、６７ａ…載置面、６９…立掛部、７０…キーボード（入力操作部）、７０ａ…操作キー、７２…背面板、７２ａ…接続端子部、７３…配線板、７４…制御部、７８…案内突部、７９…保持突部、８３…検出スイッチ
【図１】
2013084246.tif 000003
【図２】
2013084246.tif 000004
【図３】
2013084246.tif 000005
【図４】
2013084246.tif 000006
【図５】
2013084246.tif 000007
【図６】
2013084246.tif 000008
【図７】
2013084246.tif 000009
【図８】
2013084246.tif 000010
【図９】
2013084246.tif 000011
【図１０】
2013084246.tif 000012
【図１１】
2013084246.tif 000013
【図１２】
2013084246.tif 000014
【図１３】
2013084246.tif 000015
【図１４】
2013084246.tif 000016
【図１５】
2013084246.tif 000017
【図１６】
2013084246.tif 000018
【図１７】
2013084246.tif 000019
【図１８】
2013084246.tif 000020
【図１９】
2013084246.tif 000021
【図２０】
2013084246.tif 000022
【図２１】
2013084246.tif 000023
【図２２】
2013084246.tif 000024
【図２３】
2013084246.tif 000025
【図２４】
2013084246.tif 000026
【図２５】
2013084246.tif 000027
【図２６】
2013084246.tif 000028
【図２７】
2013084246.tif 000029
【図２８】
2013084246.tif 000030
【図２９】
2013084246.tif 000031
【図３０】
2013084246.tif 000032
【図３１】
2013084246.tif 000033
【図３２】
2013084246.tif 000034
【図３３】
2013084246.tif 000035
【図３４】
2013084246.tif 000036
【図３５】
2013084246.tif 000037
【図３６】
2013084246.tif 000038
【図３７】
2013084246.tif 000039
【図３８】
2013084246.tif 000040
【図３９】
2013084246.tif 000041
【図４０】
2013084246.tif 000042
【図４１】
2013084246.tif 000043
【図４２】
2013084246.tif 000044
【図４３】
2013084246.tif 000045
【図４４】
2013084246.tif 000046
【図４５】
2013084246.tif 000047
【図４６】
2013084246.tif 000048
【図４７】
2013084246.tif 000049
【図４８】
2013084246.tif 000050
【図４９】
2013084246.tif 000051
【図５０】
2013084246.tif 000052
【図５１】
2013084246.tif 000053
【図５２】
2013084246.tif 000054
【図５３】
2013084246.tif 000055
【図５４】
2013084246.tif 000056
【図５５】
2013084246.tif 000057
【図５６】
2013084246.tif 000058
【図５７】
2013084246.tif 000059
【図５８】
2013084246.tif 000060
【図５９】
2013084246.tif 000061
【図６０】
2013084246.tif 000062
【図６１】
2013084246.tif 000063
【図６２】
2013084246.tif 000064
【図６３】
2013084246.tif 000065
【図６４】
2013084246.tif 000066
【図６５】
2013084246.tif 000067
【図６６】
2013084246.tif 000068
【図６７】
2013084246.tif 000069
【図６８】
2013084246.tif 000070
【図６９】
2013084246.tif 000071
【図７０】
2013084246.tif 000072
【図７１】
2013084246.tif 000073
【図７２】
2013084246.tif 000074
【図７３】
2013084246.tif 000075
【図７４】
2013084246.tif 000076
【図７５】
2013084246.tif 000077
【図７６】
2013084246.tif 000078